(57)【特許請求の範囲】
【請求項１】
ユーザ装置のためのサービングセルをサポートするよう構成され、ＬＴＥ−Ａｄｖａｎｃｅｄ（ＬＴＥ−Ａ）を含む１以上の３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）規格に準拠して動作するよう構成されるｅＮＢ（ｅｖｏｌｖｅｄ  Ｎｏｄｅ  Ｂ）において、前記ユーザ装置との通信に関する第１時分割複信（ＴＤＤ）コンフィギュレーションを確立するステップと、
１以上の他のサービングセルの少なくとも１つが前記第１ＴＤＤコンフィギュレーションと異なる前記ユーザ装置との通信に関する第２ＴＤＤコンフィギュレーションを確立したことを示す前記１以上の他のサービングセルのＴＤＤコンフィギュレーション情報を受信するステップと、
前記第１及び第２ＴＤＤコンフィギュレーションに基づき前記ユーザ装置の受信回路を一時的に電力オン又はオフすることに関する１以上の間欠受信（ＤＲＸ）タイマを定義するステップであって、前記１以上のＤＲＸタイマはｄｒｘ−ＩｎａｃｔｉｖｉｔｙＴｉｍｅｒを有する、定義するステップと、
前記第１ＴＤＤコンフィギュレーションに基づく前記ｄｒｘ−ＩｎａｃｔｉｖｉｔｙＴｉｍｅｒの第１定義と、前記第２ＴＤＤコンフィギュレーションに基づく前記ｄｒｘ−ＩｎａｃｔｉｖｉｔｙＴｉｍｅｒの第２定義とを定義するステップと、
を有するコンピュータにより実現される方法。
【請求項２】
前記１以上のＤＲＸタイマは、ｏｎＤｕｒａｔｉｏｎＴｉｍｅｒ及びｄｒｘ−ＲｅｔｒａｎｓｍｉｓｓｉｏｎＴｉｍｅｒを含む、請求項１記載の方法。
【請求項３】
前記第１ＴＤＤコンフィギュレーションに基づく前記ｄｒｘ−ＲｅｔｒａｎｓｍｉｓｓｉｏｎＴｉｍｅｒの第１定義を定義し、前記第２ＴＤＤコンフィギュレーションに基づく前記ｄｒｘ−ＲｅｔｒａｎｓｍｉｓｓｉｏｎＴｉｍｅｒの第２定義を定義するステップを有する、請求項２記載の方法。
【請求項４】
前記ｏｎＤｕｒａｔｉｏｎＴｉｍｅｒは、前記第１及び第２ＴＤＤコンフィギュレーションの双方について同一の定義を有する、請求項２記載の方法。
【請求項５】
前記１以上のＤＲＸタイマの少なくとも一部が前記ユーザ装置により受信されたＰＤＣＣＨ（Ｐｈｙｓｉｃａｌ  Ｄｏｗｎｌｉｎｋ  Ｃｏｎｔｒｏｌ  Ｃｈａｎｎｅｌ）サブフレームに基づき無線装置においてカウントされるように、前記１以上のＤＲＸタイマを定義するステップを有する、請求項１記載の方法。
【請求項６】
前記ユーザ装置にサービスを提供するプライマリセルとして機能するよう前記ｅＮＢによりサポートされるサービングセルを設定するステップと、
前記ｏｎＤｕｒａｔｉｏｎＴｉｍｅｒが前記プライマリセルのＰＤＣＣＨサブフレームに基づきカウントされるように前記ｏｎＤｕｒａｔｉｏｎＴｉｍｅｒを定義するステップと、
を有する、請求項２記載の方法。
【請求項７】
前記ｄｒｘ−ＲｅｔｒａｎｓｍｉｓｓｉｏｎＴｉｍｅｒが、スケジューリングするサービングセルから前記ユーザ装置においてＰＤＣＣＨサブフレームを受信したことに応答してカウントされるように、前記ｄｒｘ−ＲｅｔｒａｎｓｍｉｓｓｉｏｎＴｉｍｅｒを定義するステップを有し、
前記スケジューリングするサービングセルは、前記１以上の他のサービングセルからのものであるか、又は前記プライマリセルである、請求項６記載の方法。
【請求項８】
前記第１及び第２ＴＤＤコンフィギュレーションに基づき１以上のＤＲＸタイマを定義するステップは、
前記第１ＴＤＤコンフィギュレーションに基づき第１ＤＲＸタイマセットを定義するステップであって、前記第１ＤＲＸタイマセットは、第１周波数バンドを介し前記ユーザ装置と通信する第１タイミングアドバンストグループ（ＴＡＧ）に関するサービングセルに共通する、定義するステップと、
前記第２ＴＤＤコンフィギュレーションに基づき第２ＤＲＸタイマセットを定義するステップであって、前記第２ＤＲＸタイマセットは、第２周波数バンドを介し前記ユーザ装置と通信する第２ＴＡＧに関するサービングセルに共通する、定義するステップと、
を有する、請求項１記載の方法。
【請求項９】
前記ユーザ装置が半複信モードにより動作するよう構成されることに基づき前記１以上のＤＲＸタイマを定義するステップを有する、請求項１記載の方法。
【請求項１０】
前記ユーザ装置は、ダウンリンク／アップリンクサブフレームが前記第１ＴＤＤコンフィギュレーションと前記第２ＴＤＤコンフィギュレーションとの間で異なる場合、ダウンリンク処理が可能とされるように構成され、
ダウンリンクサブフレームが前記第１ＴＤＤコンフィギュレーションと前記第２ＴＤＤコンフィギュレーションとの間で一致し、ダウンリンク／アップリンクサブフレームが所与のサブフレームについて前記第１ＴＤＤコンフィギュレーションと前記第２ＴＤＤコンフィギュレーションとの間で異なることに基づき前記１以上のＤＲＸタイマがスタートされるように、前記１以上のＤＲＸタイマが定義される、請求項９記載の方法。
【請求項１１】
前記ユーザ装置は、ダウンリンク／アップリンクサブフレームが前記第１ＴＤＤコンフィギュレーションと前記第２ＴＤＤコンフィギュレーションとの間で異なる場合、アップリンク処理が可能とされるように構成され、
前記１以上のＤＲＸタイマは、ダウンリンクサブフレームが所与のサブフレームについて前記第１ＴＤＤコンフィギュレーションと前記第２ＴＤＤコンフィギュレーションとの間で一致することに基づきスタートされるように定義される、請求項９記載の方法。
【請求項１２】
前記ユーザ装置は、ダウンリンク／アップリンクサブフレームが前記第１ＴＤＤコンフィギュレーションと前記第２ＴＤＤコンフィギュレーションとの間で異なる場合、アップリンク又はダウンリンク処理が動的に可能とされるよう構成され、
ダウンリンクサブフレームが所与のサブフレームについて前記第１ＴＤＤコンフィギュレーションと前記第２ＴＤＤコンフィギュレーションとの間で一致することに基づき前記１以上のＤＲＸタイマがスタートされるように、前記１以上のＤＲＸタイマが定義される、請求項９記載の方法。
【請求項１３】
ダウンリンクサブフレームが前記第１ＴＤＤコンフィギュレーションと前記第２ＴＤＤコンフィギュレーションとの間で一致し、ダウンリンク／アップリンクサブフレームが所与のサブフレームについて前記第１ＴＤＤコンフィギュレーションと前記第２ＴＤＤコンフィギュレーションとの間で異なることに基づき前記１以上のＤＲＸタイマがスタートされるように、前記１以上のＤＲＸタイマを定義するステップを有する、請求項１記載の方法。
【請求項１４】
ダウンリンクサブフレームが所与のサブフレームについて前記第１ＴＤＤコンフィギュレーションと前記第２ＴＤＤコンフィギュレーションとの間で同じであることに基づき前記１以上のＤＲＸタイマがスタートされるように、前記１以上のＤＲＸタイマを定義するステップを有する、請求項１記載の方法。
【請求項１５】
ユーザ装置のための第１サービングセルをサポートするよう構成され、ＬＴＥ−Ａｄｖａｎｃｅｄ（ＬＴＥ−Ａ）を含む１以上の３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）規格に準拠して動作するよう構成されるｅＮＢ（ｅｖｏｌｖｅｄ  Ｎｏｄｅ  Ｂ）のためのプロセッサ回路と、
前記第１サービングセルを介し前記ユーザ装置に通信接続するための第１時分割複信（ＴＤＤ）コンフィギュレーションを確立するため、前記プロセッサ回路による実行のため構成されるコンフィギュレーションコンポーネントと、
第２サービングセルが前記第１ＴＤＤコンフィギュレーションと異なる前記ユーザ装置に通信接続するための第２ＴＤＤコンフィギュレーションを確立したことを示す前記第２サービングセルのＴＤＤコンフィギュレーション情報を受信するため、前記プロセッサ回路による実行のため構成される受信コンポーネントと、
前記第１及び第２ＴＤＤコンフィギュレーションに基づき前記ユーザ装置の受信回路を一時的に電力オン又はオフすることに関する１以上の間欠受信（ＤＲＸ）タイマを定義するため、前記プロセッサ回路による実行のため構成されるタイマコンポーネントであって、前記タイマコンポーネントは、前記第１ＴＤＤコンフィギュレーションに基づく第１ＤＲＸタイマセットと、前記第２ＴＤＤコンフィギュレーションに基づく第２ＤＲＸタイマセットとを有するように別々のＤＲＸタイマセットを定義するよう構成される、タイマコンポーネントと、
を有する装置。
【請求項１６】
前記ユーザ装置と情報を通信するため、前記プロセッサ回路に通信接続される無線インタフェースを有し、
前記情報は、前記１以上のＤＲＸタイマの定義を示す、請求項１５記載の装置。
【請求項１７】
前記第１ＤＲＸタイマセットと前記第２ＤＲＸタイマセットとは、ｏｎＤｕｒａｔｉｏｎＴｉｍｅｒ、ｄｒｘ−ＲｅｔｒａｎｓｍｉｓｓｉｏｎＴｉｍｅｒ及びｄｒｘ−ＩｎａｃｔｉｖｉｔｙＴｉｍｅｒを別々に有し、
前記第１ＤＲＸタイマセットのため前記タイマコンポーネントにより定義される前記ＤＲＸタイマの定義は、前記第２ＤＲＸタイマセットのため前記タイマコンポーネントにより定義される前記ＤＲＸタイマの定義と異なる、請求項１５記載の装置。
【請求項１８】
前記ＤＲＸタイマが前記ユーザ装置により受信されたＰＤＣＣＨ（Ｐｈｙｓｉｃａｌ  Ｄｏｗｎｌｉｎｋ  Ｃｏｎｔｒｏｌ  Ｃｈａｎｎｅｌ）に基づき前記ユーザ装置においてカウントされるように、前記タイマコンポーネントは前記ＤＲＸタイマを定義するよう構成される、請求項１５記載の装置。
【請求項１９】
前記タイマコンポーネントは、前記第１サービングセルのＰＤＣＣＨサブフレームに基づきカウントされるように前記ＤＲＸタイマを定義するよう構成され、
前記第１サービングセルは、前記ユーザ装置のプライマリサービングセルとして機能するよう構成される、請求項１５記載の装置。
【請求項２０】
前記タイマコンポーネントは、前記ＤＲＸタイマの少なくとも一部が前記第１又は第２サービングセルからのＰＤＣＣＨサブフレームの受信に応答してカウントされるように前記ＤＲＸタイマを定義するよう構成される、請求項１５記載の装置。
【請求項２１】
前記プロセッサ回路に接続され、ユーザインタフェースビューを提示するデジタルディスプレイを有する、請求項１５記載の装置。
【請求項２２】
ＬＴＥ−Ａｄｖａｎｃｅｄ（ＬＴＥ−Ａ）を有する１以上の３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）規格に準拠して動作するよう構成されるユーザ装置のプロセッサに、
第１時分割複信（ＴＤＤ）コンフィギュレーションを用いて第１サービングセルからデータを受信するよう構成される受信回路に電力供給することに関する第１間欠受信（ＤＲＸ）タイマセットを受信するステップと、
第２ＴＤＤコンフィギュレーションを用いて第２サービングセルからデータを受信するよう構成される受信回路に電力供給することに関する第２ＤＲＸタイマセットを受信するステップと、
前記第１サービングセルからデータを受信したことに応答して、前記第１ＤＲＸタイマセットに基づき前記受信回路を選択的に電力オン又はオフするステップと、
前記第２サービングセルからデータを受信したことに応答して、前記第２ＤＲＸタイマセットに基づき前記受信回路を選択的に電力オン又はオフするステップと、
を実行させるためのプログラム。
【請求項２３】
前記第１サービングセルは、第１周波数バンドを介し前記ユーザ装置に通信接続される前記第１ＴＤＤコンフィギュレーションを使用し、
前記第２サービングセルは、第２周波数バンドを介し前記ユーザ装置に通信接続される前記第２ＴＤＤコンフィギュレーションを使用する、請求項２２記載のプログラム。
【請求項２４】
前記第１及び第２ＤＲＸタイマセットは、ｏｎＤｕｒａｔｉｏｎＴｉｍｅｒ、ｄｒｘ−ＲｅｔｒａｎｓｍｉｓｓｉｏｎＴｉｍｅｒ及びｄｒｘ−ＩｎａｃｔｉｖｉｔｙＴｉｍｅｒを有し、
前記第１及び第２ＤＲＸタイマセットは、前記第１又は第２サービングセルから受信したＰＤＣＣＨ（Ｐｈｙｓｉｃａｌ  Ｄｏｗｎｌｉｎｋ  Ｃｏｎｔｒｏｌ  Ｃｈａｎｎｅｌ）サブフレームに基づきカウントされるように定義される、請求項２２記載のプログラム。
【請求項２５】
前記第１及び第２ＤＲＸタイマセットの双方に含まれるｏｎＤｕｒａｔｉｏｎＴｉｍｅｒは、前記ユーザ装置のプライマリサービングセルとして機能するよう構成される前記第１及び第２サービングセルからのサービングセルのためのＰＤＣＣＨサブフレームに基づきカウントされるように定義される、請求項２４記載のプログラム。
【請求項２６】
前記第１及び第２ＤＲＸタイマセットの双方に含まれるｄｒｘ−ＩｎａｃｔｉｖｉｔｙＴｉｍｅｒは、前記第１サービングセル又は前記第２サービングセルから受信されるＰＤＣＣＨサブフレームに基づきカウントされるよう定義される、請求項２４記載のプログラム。
【請求項２７】
請求項２２乃至２６何れか一項記載のプログラムを記憶するためのコンピュータ可読記憶媒体。
【発明の詳細な説明】
【背景技術】
【０００１】
１以上の時分割複信（ＴＤＤ）コンフィギュレーションは、無線装置又はユーザ装置（ＵＥ）との通信のための無線ネットワークにおける複数のサービングセル（等価的にはセル又はキャリア）により実現されてもよい。基地局における所与のＴＤＤコンフィギュレーションの実現は、ダウンリンク及びアップリンクのための複数のサブフレームに関連するダウンリンク・ツー・アップリンクスイッチポイントの周期性を利用することを含む。ピークデータレートを増加させるため、ＵＥが複数のセルによって同時にサービスを提供されるキャリアアグリゲーションが実現されてもよい。キャリアアグリゲーションがＴＤＤシステムに適用されるとき、異なるＴＤＤコンフィギュレーションが、ＴＤＤ処理において更なるフレキシビリティを有するように、各無線周波数バンドにおけるサービングセルのために適用可能である。
【図面の簡単な説明】
【０００２】
【図１】図１は、一例となる無線ネットワークを示す。
【図２】図２は、間欠受信サイクルの一例を示す。
【図３】図３は、一例となる時分割複信（ＴＤＤ）コンフィギュレーションテーブルを示す。
【図４】図４は、一例となる第１ＴＤＤ図を示す。
【図５】図５は、一例となる第２ＴＤＤ図を示す。
【図６】図６は、一例となる第３ＴＤＤ図を示す。
【図７】図７は、一例となる第４ＴＤＤ図を示す。
【図８】図８は、一例となる第５ＴＤＤ図を示す。
【図９】図９は、一例となる第１装置のブロック図を示す。
【図１０】図１０は、第１ロジックフローの一例を示す。
【図１１】図１１は、第２ロジックフローの一例を示す。
【図１２】図１２は、第１記憶媒体の一例を示す。
【図１３】図１３は、一例となる第２装置のブロック図を示す。
【図１４】図１４は、第３ロジックフローの一例を示す。
【図１５】図１５は、第４ロジックフローの一例を示す。
【図１６】図１６は、第２記憶媒体の一例を示す。
【図１７】図１７は、デバイスの一例を示す。
【図１８】図１８は、ブロードバンド無線アクセスシステムの一例を示す。
【発明を実施するための形態】
【０００３】
具体例は、一般に無線モバイル通信セルラ又は無線モバイルブロードバンド技術を用いた無線ワイドエリアネットワーク（ＷＷＡＮ）の改良に関する。無線モバイルブロードバンド技術は、１以上の第３世代（３Ｇ）又は第４世代（４Ｇ）無線規格、改訂、子孫及び変形などの無線装置又はユーザ装置（ＵＥ）により利用されるのに適した何れかの無線技術を含むものであってもよい。無線モバイルブロードバンド技術の具体例は、限定することなく、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍ及び８０２．１６ｐ規格、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）及びＬＴＥ−Ａｄｖａｎｃｅｄ（ＬＴＥ−Ａ）規格及びＩＭＴ−ＡＤＶ（Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）規格と、それらの改訂、子孫及び変形を含む何れかを含むものであってもよい。他の適した具体例は、限定することなく、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）技術、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）／ＨＳＰＡ（Ｈｉｇｈ  Ｓｐｅｅｄ  Ｐａｃｋｅｔ  Ａｃｃｅｓｓ）技術、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）又はＷｉＭＡＸ  ＩＩＩ技術、ＣＤＭＡ（Ｃｏｄｅ  Ｄｉｖｉｓｉｏｎ  Ｍｕｌｔｉｐｌｅ  Ａｃｃｅｓｓ）２０００システム技術（ＣＤＭＡ２０００  １ｘＲＴＴ、ＣＤＭＡ２０００  ＥＶ−ＤＯ、ＣＤＭＡ  ＥＶ−ＤＶなど）、ＲＴＳＩ（ｔｈｅ  Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）  ＢＲＡＮ（Ｂｒｏａｄｂａｎｄ  Ｒａｄｉｏ  Ａｃｃｅｓｓ  Ｎｅｔｗｏｒｋにより規定されるようなＨＩＰＥＲＭＡＮ（Ｈｉｇｈ  Ｐｅｒｆｏｒｍａｎｃｅ  Ｒａｄｉｏ  Ｍｅｔｒｏｐｏｌｉｔａｎ  Ａｒｅａ  Ｎｅｔｗｏｒｋ）技術）、ＷｉＢｒｏ（Ｗｉｒｅｌｅｓｓ  Ｂｒｏａｄｂａｎｄ）技術、ＧＳＭ／ＧＰＲＳ（ＧＳＭ  ｗｉｔｈ  Ｇｅｎｅｒａｌ  Ｐａｃｋｅｔ  Ｒａｄｉｏ  Ｓｅｒｖｉｃｅ）システム技術、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）技術、ＨＳＯＰＡ（Ｈｉｇｈ  Ｓｐｅｅｄ  Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ（ＯＦＤＭ）  Ｐａｃｋｅｔ  Ａｃｃｅｓｓ）技術、ＨＳＵＰＡ（Ｈｉｇｈ  Ｓｐｅｅｄ  Ｕｐｌｉｎｋ  Ｐａｃｋｅｔ  Ａｃｃｅｓｓ）システム技術、ＬＴＥ／ＳＡＥ（Ｓｙｓｔｅｍ  Ａｒｃｈｉｔｅｃｔｕｒｅ  Ｅｖｏｌｕｔｉｏｎ）の３ＧＰＰ  Ｒｅｌ．８，９又は１０などを含むものであってもよい。具体例は、これに限定されるものでない。
【０００４】
例えば、限定することなく、各種具体例が、３ＧＰＰ  ＬＴＥのＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）、Ｅ−ＵＴＲＡ（Ｕｎｉｖｅｒｓａｌ  Ｔｅｒｒｅｓｔｒｉａｌ  Ｒａｄｉｏ  Ａｃｃｅｓｓ）及び技術仕様書のＬＴＥ−Ａ  Ｒａｄｉｏ  Ｔｅｃｈｎｏｌｏｇｙ  ３６  Ｓｅｒｉｅｓ（まとめて、“３ＧＰＰ  ＬＴＥ  Ｓｐｅｃｉｆｉｃａｔｉｏｎｓ”）、ＩＥＥＥ８０２．１６−２００９及び規格８０２．１６−２００９、８０２．１６ｈ−２０１０及び８０２．１６ｍ−２０１１を集約した“８０２．１６Ｒｅｖ３”と呼ばれるＩＥＥＥ８０２．１６に対する現在の第３改訂などのＩＥＥＥ８０２．１６規格、及び“Ｄｒａｆｔ  Ａｍｅｎｄｍｅｎｔ  ｔｏ  ＩＥＥＥ  Ｓｔａｎｄａｒｄ  ｆｏｒ  ＷｉｒｅｌｅｓｓＭＡＮ−Ａｄｖａｎｃｅｄ  Ａｉｒ  Ｉｎｔｅｒｆａｃｅ  ｆｏｒ  Ｂｒｏａｄｂａｎｄ  Ｗｉｒｅｌｅｓｓ  Ａｃｃｅｓｓ  Ｓｙｓｔｅｍｓ，Ｅｎｈａｎｃｅｍｅｎｔｓ  ｔｏ  Ｓｕｐｐｏｒｔ  Ｍａｃｈｉｎｅ−ｔｏ−Ｍａｃｈｉｎｅ  Ａｐｐｌｉｃａｔｉｏｎｓ”（まとめて“ＩＥＥＥ８０２．１６規格”）及び３ＧＰＰ  ＬＴＥ  Ｓｐｅｃｉｆｉｃａｔｉｏｎ及びＩＥＥＥ８０２．１６  Ｓｔａｎｄａｒｄの何れかのドラフト、改訂又は変形などを具体的に参照して説明されてもよい。ある実施例が、限定することなく一例として３ＧＰＰ  ＬＴＥ  Ｓｐｅｃｉｆｉｃａｔｉｏｎ又はＩＥＥＥ８０２．１６  Ｓｔａｎｄａｒｄシステムとして説明されるかもしれないが、他のタイプの通信システムは、他の各種タイプのモバイルブロードバンド通信システム及び規格として実現されてもよいことが理解されてもよい。具体例は、これに限定されるものでない。
【０００５】
本開示において想到されるように、異なる又は別のＴＤＤコンフィギュレーションが、キャリアアグリゲーションにおいて無線装置又はＵＥにサービスを提供するセル間のよりフレキシブルなコンフィギュレーションを提供するため、無線周波数バンドについて利用されてもよい。異なるＴＤＤコンフィギュレーションの使用は、ＵＥにおける電力をセーブするため、受信回路を一時的に電源オフすることに関するタイマの定義を複雑化しうる。定義するのが困難である１つのタイマグループは、典型的には、３ＧＰＰ  ＬＴＥ又はＬＴＥ−Ａに準拠したネットワークにおいて利用される。このグループに含まれるタイマは、間欠受信（ＤＲＸ）タイマとして知られる。ＤＲＸタイマの定義は、典型的には、ＵＥと通信するため所与のＴＤＤコンフィギュレーションを利用する基地局からダウンリンクサブフレームが期待されるときに基づく。
【０００６】
ＤＲＸタイマは、通常は異なるＴＤＤコンフィギュレーションが所与のＵＥと通信する基地局及び／又はサービングセルにより利用されるかに関係なく定義されてもよい。異なるＴＤＤコンフィギュレーションについて通常定義されるタイマは、異なるＴＤＤコンフィギュレーションにおそらく含まれるより多くの又はより少ないダウンリンクサブフレームを考慮できないタイマを生じさせるかもしれない。ダウンリンクサブフレームの個数の不一致を考慮しない結果として、スケジューリング問題が、所与のＵＥにおいてデータを受信するため生じる可能性がある。また、他のＴＤＤコンフィギュレーションがおそらく利用されるよりもより多くのダウンリンクサブフレームを有する所与のＴＤＤコンフィギュレーションに対してＤＲＸタイマの定義を基づかせるとき、電力消費を低減するためのより少ない機会しか生じない。ここに説明される具体例が必要とされることは、上記及び他のチャレンジに関するものである。
【０００７】
ある具体例では、無線装置又はＵＥの受信回路への電力供給に関するタイマを定義するための技術が実現される。これらの技術は、ＵＥとの通信に関する第１ＴＤＤコンフィギュレーションをＵＥのサービングセルをサポートする基地局（ｅＮＢなど）において確立することを含むものであってもよい。ＴＤＤコンフィギュレーション情報は、１以上の他のサービングセルについて受信されてもよい。ＴＤＤコンフィギュレーション情報は、１以上の他のサービングセルの少なくとも１つが第１ＴＤＤコンフィギュレーションと異なるＵＥとの通信に関する第２ＴＤＤコンフィギュレーションを確立したことを示すものであってもよい。これらの具体例について、ＵＥの受信回路を一時的に電源オフ又はオンすることに関連する１以上のタイマ（ＤＲＸタイマなど）は、第１及び第２ＴＤＤコンフィギュレーションに基づき定義されてもよい。その後、１以上のタイマに定義を示す情報がＵＥに送信されてもよい。
【０００８】
いくつかの具体例によると、無線装置又はＵＥの受信回路に電力供給することに関する定義されたタイマを利用するための技術がまた実現されてもよい。これらの技術は、第１ＴＤＤコンフィギュレーションを用いて第１サービングセルからデータを受信するよう構成される受信回路の電力供給に関する第１タイマセット（ＤＲＸタイマなど）を受信し、第２ＴＤＤコンフィギュレーションを用いて第２サービングセルからデータを受信するよう構成される受信回路の電力供給に関する第２タイマセットを受信することを含むものであってもよい。これらの具体例について、第１サービングセルからのデータの受信に応答して、受信回路は、第１タイマセットに基づき選択的に電力オン又はオフされてもよい。また、第２サービングセルからのデータの受信に応答して、受信回路は、第２タイマセットに基づき選択的に電力オン又はオフされてもよい。
【０００９】
図１は、無線ネットワーク１００の一例を示す。いくつかの具体例では、図１に示されるように、無線ネットワーク１００は、同一の基地局（ＢＳ）１１１により運営又はサポートされるプライマリセル（ＰＣｅｌｌ）１１０及びセカンダリセル（ＳＣｅｌｌ）１２０を有する。また、図１に示されるように、ＢＳ１１１は、ＰＣｅｌｌ１１０及びＳＣｅｌｌ１２０のために別々の通信リンク（ＣＬ）を確立するための２つの周波数キャリアをＵＥ１０５に提供できる。これら別々のＣＬは、図１においてＣＬ１１３及びＣＬ１２３として示される。
【００１０】
いくつかの具体例では、ＰＣｅｌｌ１１０をサポートするＢＳ１１１は、少なくとも一部の動作パラメータを設定するため、プライマリセルとしてＵＥ１０５にサービスを提供するよう構成されるロジック及び／又は特徴を含むものであってもよい。これらの動作パラメータは、ＵＥ１０５が無線ネットワーク１００に通信接続するための動作パラメータを含むものであってもよい。動作パラメータは、限定することなく、ＵＥ１０５の受信回路を一時的に電力オン又はオフすることに関する１以上のタイマを含むものであってもよい。以下においてより説明されるように、１以上のタイマは、ＵＥ１０５との通信に関連するＴＤＤコンフィギュレーションに基づくものであってもよい（ＣＬ１１３などを介し）。
【００１１】
いくつかの具体例によると、ＳＣｅｌｌ１２０もまたサポートするＢＳ１１１は、ＰＣｅｌｌ１１０を介し管理される動作パラメータを用いてＵＥ１０５と通信するよう構成されるロジック及び／又は特徴を含むものであってもよい。ＳＣｅｌｌ１２０はまた、ＵＥ１０５との通信に関するＴＤＤコンフィギュレーションを確立してもよい。ＳＣｅｌｌ１２０により確立されたＴＤＤコンフィギュレーションは、ＵＥ１０５とＰＣｅｌｌ１１０との間に確立されるＴＤＤコンフィギュレーションと異なるものであってもよい。以下でより説明されるように、ＢＳ１１１は、異なるＴＤＤコンフィギュレーションを考慮しながら、ＵＥ１０５の受信回路を一時的に電力オン又はオフすることに関する１以上のタイマを定義するロジック及び／又は特徴を含むものであってもよい。受信回路を電力オフ又はオンすることは、限定することなく、無線インタフェースの受信コンポーネントなどのＰＣｅｌｌ１１０又は１２０などのサービングセルから通信信号を受信するのに用いられるＵＥ１０５のコンポーネントを電力オフすることを含むものであってもよい。
【００１２】
いくつかの具体例では、ＵＥ１０５は、ＵＥ１０５の受信回路を一時的に又は選択的に電力オン又はオフするために用いられるＤＲＸタイマなどの１以上のタイマを含むものであってもよいＢＳ１１１からのタイマ情報を受信するロジック及び／又は特徴を含むものであってもよい。上述されるように、１以上のタイマの定義は、ＵＥ１０５とサービングセルＰＣｅｌｌ１１０及びＳＣｅｌｌ１２０との間に確立される異なるＴＤＤコンフィギュレーションに基づくものであってもよい。
【００１３】
いくつかの具体例によると、ＵＥ１０５は、無線機能又は装置を有する何れかの電子デバイスであってもよい。いくつかの具体例について、ＵＥ１０５は、固定デバイスにより実現されてもよい。固定デバイスは、一般に経時的に変化しない固定的、定常的、永続的又は移動しないポジション又は位置にあるよう構成される電子デバイスを参照する。例えば、固定デバイスは、有線電力線、送信線などを含む移動を禁止するための固定物、付属物及びハウジングに設置されてもよい。他方、モバイル装置は、経時的に様々な位置の間で頻繁に移動するのに十分にポータブルなものになるよう設計される。固定デバイスは一般に定常的であるが、ある固定デバイスは、第１固定位置における現在の装置から切断され、第２固定位置に移動され、第２固定位置の装置に接続されてもよいことが理解されてもよい。
【００１４】
いくつかの具体例によると、ＢＳ１１１のロジック及び／又は特徴は、１以上の３ＧＰＰ  ＬＴＥ規格（ＬＴＥ−Ａなど）に準拠した通信システム又はネットワークのためのネットワーク装置などのシステム装置を含むものであってもよい。例えば、ＢＳ１１１は、Ｗｉｒｅｌｅｓｓ  ＬＴＥ又はＬＴＥ−Ａネットワークのｅｖｏｌｖｅｄ  Ｎｏｄｅ  Ｂ（ｅＮＢ）基地局として実現されてもよい。いくつかの具体例は基地局（ＢＳ）又はｅＮＢを参照して説明されるが、具体例は、無線ネットワークの何れかのネットワーク装置を利用してもよい。具体例は、これに限定されるものでない。
【００１５】
図２は、間欠受信サイクル２００の一例を示す。図２に示されるように、間欠受信サイクル２００は、サイクル２１０及びサイクル２２０を含む。図２に示されるように、サイクル２１０及び２２０は、アクティブ時間及び非アクティブ時間を含むものであってもよい。アクティブ時間は、オンデュレーションタイマ、インアクティビティタイマ又は再送タイマの実行中の時間を含む。アクティブ時間では、ＵＥは、ＰＤＣＣＨ（Ｐｈｙｓｉｃａｌ  Ｄｏｗｎｌｉｎｋ  Ｃｏｎｔｒｏｌ  Ｃｈａｎｎｅｌ）サブフレームなどのダウンリンク信号を受信し、また所与のＴＤＤコンフィギュレーションに従ってスケジューリングされる場合、アップリンク信号を送信してもよい。非アクティブ時間では、ＵＥは、ダウンリンク信号を受信する必要はなく、電力をセーブするため受信回路を電力オフしてもよい。
【００１６】
いくつかの具体例では、間欠受信サイクル２００は、ＵＥがアクティブであるか、又はダウンリンクシグナリングを受信するため自らの受信回路に電力供給しているか示すが、ＵＥはまた、間欠受信サイクル２００に関するアップリンク送信を制限してもよい。これらの具体例について、ＵＥは、アップリンクサブフレームが非アクティブ時間に対応する場合、アップリンク信号を送信しなくてもよい。ＵＥはさらにまた、送信回路を電力ダウンしてもよい。
【００１７】
いくつかの具体例では、受信電力サイクル２００は、サイクル２１０及び２２０の受信回路の電力供給を示す。例えば、サイクル２１０は、受信回路がサイクル２１０の第１部分（アクティブ時間）の間は電力オンされ、その後、サイクル２１０の第２部分（非アクティブ時間）の間は電力オフされることを示す。また、サイクル２２０は、受信回路がサイクル２２０の第１部分の間は電力オンされ、その後、サイクル２２０の第２部分の間は電力オフされることを示す。
【００１８】
いくつかの具体例によると、間欠受信サイクル２００は、１以上の３ＧＰＰ  ＬＴＥ規格（ＬＴＥ−Ａなど）に準拠する無線ネットワークに接続される無線装置又はＵＥにより実現される電力セービング技術に関するＤＲＸサイクルと同様のサイクルを含むものであってもよい。これらの具体例について、上述された各種タイマはＤＲＸタイマであってもよい。例えば、オンデュレーションタイマはｏｎＤｕｒａｔｉｏｎＴｉｍｅｒであってもよく、再送タイマはｄｒｘ−ＲｅｔｒａｎｓｍｉｓｓｉｏｎＴｉｍｅｒであってもよく、又はインアクティビティタイマは、ｄｒｘ−ＩｎａｃｔｉｖｉｔｙＴｉｍｅｒであってもよい。
【００１９】
いくつかの具体例では、オンデュレーション、インアクティビティ又は再送タイマは、無線ネットワーク１００のＰＣｅｌｌ１１０のＢＳ１１１など無線ネットワークのプライマリセルの基地局によって定義されてもよい。これらのタイマは、ＵＥ１０５などの無線装置と通信するため、ＰＣｅｌｌ１１０により用いられる第１ＴＤＤコンフィギュレーションと、ＳＣｅｌｌ１２０などの他のサービングセルにより用いられる少なくとも第２ＴＤＤコンフィギュレーションとに基づき定義されてもよい。以下でより詳細に説明されるように、第１及び第２ＴＤＤコンフィギュレーションに基づきこれらのタイマを定義及び利用するための各種技術が実現されてもよい。
【００２０】
図３は、一例となる時分割複信（ＴＤＤ）コンフィギュレーションテーブル３００を示す。いくつかの具体例では、図３に示されるように、ＴＤＤコンフィギュレーションテーブル３００は、サブフレーム０〜９に関連するアップリンク・ダウンリンクコンフィギュレーション０〜６を含むものであってもよい。これらの具体例について、ＴＤＤコンフィギュレーションテーブル３００は、３ＧＰＰ  ＬＴＥ−Ａ規格に従って構成されてもよい。本開示は、３ＧＰＰ  ＬＴＥ−Ａに従って構成されるＴＤＤコンフィギュレーションテーブルのみに限定されるものでない。何れのＴＤＤコンフィギュレーションが無線装置又はＵＥと通信するため実装されているか近傍の基地局に通知するのに利用されてもよい他のコンフィギュレーションテーブルが想定される。
【００２１】
いくつかの具体例によると、図３に示されるように、各ＴＤＤコンフィギュレーションについて、ダウンリンク・アップリンクスイッチポイントの周期性が通知される。また、サブフレーム０〜９のそれぞれについて、“Ｄ”は期待されるダウンリンク処理又は基地局からの送信を示し、“Ｕ”はアップリンク処理又は基地局への送信を示し、また、“Ｓ”は特別なサブフレームを示すものであってもよい。
【００２２】
いくつかの具体例では、特別なサブフレームは、無線装置又はＵＥの受信回路を一時的に電力オン又はオフするのに関する１以上のタイマを定義することに関して、ダウンリンクサブフレームと同様であってもよい。この類似性は、ＵＥがおそらくＵＥと通信するのに基地局により用いられる所与のコンフィギュレーションに従って、特別なサブフレームにおいて基地局からデータを受信することに基づくものであってもよい。例えば、ＴＤＤコンフィギュレーションテーブル３００のコンフィギュレーション２は、サブフレーム番号１及び６における特別なサブフレームを示す。
【００２３】
図４は、一例となる第１ＴＤＤ図４００を示す。ＴＤＤ図４００は、周波数バンドに基づきＴＤＤテーブルコンフィギュレーションテーブル３００からＴＤＤコンフィギュレーションを確立する具体例を示す。いくつかの具体例では、図４に示されるように、ＰＣｅｌｌ１１０及びＳＣｅｌｌ４３０として示される他のサービングセルは、ＵＥ１０５と通信するためコンフィギュレーション３を確立していてもよい。ＰＣｅｌｌ１１０及びＳＣｅｌｌ４３０との双方は、周波数バンド４１０に配置される２つの異なる周波数キャリアを介しＵＥ１０５に通信接続するよう構成されてもよい。また、図４に示されるように、ＳＣｅｌｌ１２０及び他のサービングセルＳＣｅｌｌ４４０は、ＵＥ１０５と通信するためコンフィギュレーション５を確立していてもよい。ＳＣｅｌｌ１２０及びＳＣｅｌｌ４４０との双方は、周波数バンド４２０に配置される２つの異なる周波数キャリアを介しＵＥ１０５に通信接続するよう構成されてもよい。図４は、それぞれが所与のＴＤＤコンフィギュレーションを確立した２つのサービングセルを含む２つの周波数バンドを示すが、本開示は、各周波数バンドが２つより多くのサービングセルを含む２つより多くの周波数バンドを想定とする。
【００２４】
いくつかの具体例によると、ＵＥ１０５の受信回路を電力オン又はオフすることに関する１以上のタイマは、コンフィギュレーション３及びコンフィギュレーション５に基づき定義されてもよい。これらの具体例について、別々のタイマセットが定義されてもよい。第１タイマセットはコンフィギュレーション３に基づき定義されてもよく、第２タイマセットはコンフィギュレーション５に基づき定義されてもよい。これら第１及び第２タイマセットは、限定することなく、オンデュレーション、再送又はインアクティビティタイマを含むものであってもよい。
【００２５】
いくつかの具体例では、所与の周波数バンドによりグループ化されたサービングセルは、タイミングアドバンストグループ、すなわち、“ＴＡＧ”として特定されてもよい。ＴＡＧは、１以上の３ＧＰＰ  ＬＴＥ規格（ＬＴＥ−Ａなど）に殉教する無線ネットワークの一部であってもよく、各ＴＡＧについてＴＤＤコンフィギュレーションが確立される定義された１以上のタイマは、ＤＲＸタイマを含むものであってもよい。これらの具体例について、当該無線ネットワークのｅＮＢは、所与のＴＡＧについて確立されたＴＤＤコンフィギュレーションの複数のＰＤＣＣＨサブフレーム（“Ｄ”又は“Ｓ”などにより示される）に基づき最適化されたＤＲＸタイマ値／定義を決定するロジック及び／又は特徴を含むものであってもよい。例えば、ＴＤＤコンフィギュレーションテーブル３００によると、コンフィギュレーション３は、合計で７つの可能なＰＤＣＣＨサブフレームを含み、コンフィギュレーション５は、合計で９つの可能なＰＤＣＣＨサブフレームを含む。従って、ＤＲＸタイマを別々に定義することによって、ｅＮＢは、２つのＰＤＣＣＨサブフレームの相違を考慮することが可能であってもよい。
【００２６】
いくつかの具体例によると、ＬＴＥ−Ａに準拠した無線ネットワークの別々に定義されたＤＲＸタイマは、ｏｎＤｕｒａｔｉｏｎＴｉｍｅｒ及びｄｒｘ−ＩｎａｃｔｉｖｉｔｙＴｉｍｅｒを含むものであってもよい。ｄｒｘ−ＲｅｔｒａｎｓｍｉｓｓｉｏｎＴｉｍｅｒは、ダウンリンクＨＡＲＱ（Ｈｙｂｒｉｄ  Ａｕｔｏｍａｔｉｃ  Ｒｅｐｅａｔ  Ｒｅｑｕｅｓｔ）プロセス毎に定義されるため、別々に定義されるｄｒｘ−ＲｅｔｒａｎｓｍｉｓｓｉｏｎＴｉｍｅｒは不要であるかもしれない。また、他のタイプのＤＲＸタイマ又はパラメータが、全てのサービングセル及びそれらの関連する基地局に適用されてもよい。例えば、短いＤＲＸサイクル、長いＤＲＸサイクル又はｄｒｘＳｈｏｒｔＣｙｃｌｅＴｉｍｅｒは、サービングセルが、ＵＥ１０５などのＵＥと通信するため、何れのＴＤＤコンフィギュレーション及び／又は周波数を確立したかに関係なく、ＬＴＥ−Ａに準拠した無線ネットワークのサービングセル１１０，１２０，４３０，４４０に適用されてもよい。
【００２７】
図５は、一例となる第２ＴＤＤ図５００を示す。ＴＤＤ図５００は、ＵＥ又は無線装置の受信回路の電力供給に関するタイマを定義する際、何れのサブフレームが考慮されるかの具体例を示す。いくつかの具体例では、コンフィギュレーション３及び５として図５に示される２つの異なるＴＤＤコンフィギュレーションは、ＵＥ又は無線装置との通信のため確立されてもよい。これらの具体例について、ＵＥは、半複信モードで動作するよう構成されてもよい。また、ＵＥは、２つのコンフィギュレーションの間で異なりうる又は競合しうるダウンリンク／アップリンクサブフレームの方向を決定するよう構成されてもよい。
【００２８】
いくつかの具体例によると、半複信モードで動作するよう構成されるＵＥは、競合又は異なるダウンリンク／アップリンクサブフレームに対するダウンリンク又はアップリンク処理を可能にするものであってもよい。また、ダウンリンクサブフレームが一致するとき、ダウンリンク処理が可能とされてもよい。例えば、ＬＴＥ−Ａに準拠した無線ネットワークでは、ダウンリンク／アップリンクサブフレームが異なっているときにダウンリンク処理が可能とされる場合、ＵＥは、これらの競合するサブフレーム中にＰＤＣＣＨサブフレームを含むようダウンリンクサブフレームを受信してもよい。
【００２９】
いくつかの具体例では、ＵＥの受信回路に電力供給することに関する１以上のタイマが、サブフレーム２を除きコンフィギュレーション３及び５のサブフレームの何れかにおいて開始されるように定義されてもよい。これらの具体例について、図５に示されるように、サブフレーム２は、一致しないか又は競合しないダウンリンク／アップリンクサブフレームのみである。すなわち、１以上のタイマは、ダウンリンク／アップリンクサブフレームがコンフィギュレーション３とコンフィギュレーション５との間で一致することに基づき、また、所与のサブフレームについてダウンリンク／アップリンクサブフレームがコンフィギュレーション３とコンフィギュレーション５との間で異なることに基づきスタートされてもよい。従って、ＬＴＥ−Ａに準拠した無線ネットワークでは、１以上のタイマは、これらがサブフレーム０，１，３〜９の何れか１つにおいてＰＤＣＣＨを受信したことに応答してスタート又はカウントされるように定義されてもよい。
【００３０】
図６は、一例となる第３ＴＤＤ図６００を示す。ＴＤＤ図６００は、ＵＥ又は無線その受信回路に電力供給することに関するタイマを定義する際に何れのサブフレームが考慮されるかの異なる例を示す。いくつかの具体例では、図５について上述されるような同一の２つのコンフィギュレーションが、ＵＥとの通信のため確立されてもよい。また、これらの具体例について、ＵＥは、半複信モードで動作するよう構成されてもよい。
【００３１】
いくつかの具体例によると、半複信モードで動作するよう構成されるＵＥは、ダウンリンク／アップリンクサブフレームが異なるか又は競合するアップリンク処理のみを可能にしてもよい。例えば、ＬＴＥ−Ａに準拠した無線ネットワークでは、アップリンク処理のみが可能とされ、ダウンリンク／アップリンクサブフレームが異なるか、又は競合する場合、ＵＥは、競合するサブフレームの期間中にＰＤＣＣＨサブフレームを含むためのダウンリンクサブフレームを受信しなくてもよい。図６において、コンフィギュレーション３とコンフィギュレーション５との間の競合するサブフレームは、サブフレーム２，３及び４として示される。
【００３２】
いくつかの具体例では、ＵＥの受信回路に電力供給することに関する１以上のタイマが、ダウンリンクサブフレームが所与のサブフレームについてコンフィギュレーション３とコンフィギュレーション５との間で一致することに基づきスタートされるように定義されてもよい。上述されるように、特別なサブフレームがまた、タイマを定義するためダウンリンクサブフレームとしてみなされてもよい。従って、ＬＴＥ−Ａに準拠した無線ネットワークでは、１以上のタイマは、これらがサブフレーム０，１又は５〜９の何れか１つにおいてＰＤＣＣＨを受信したことに応答してスタート又はカウントされるように定義されてもよい。
【００３３】
いくつかの具体例によると、半複信モードで動作するよう構成されるＵＥは、競合するサブフレームにおいてアップリンク処理又は競合するサブフレームにおいてダウンリンク処理を動的に可能にしてもよい。これらの具体例について、ＵＥの受信回路に電力供給することに関する１以上のタイマは、ダウンリンクサブフレームが所与のサブフレームについてコンフィギュレーション３とコンフィギュレーション５との間の一致に基づきスタートされるように定義されてもよい。従って、ＬＴＥ−Ａに準拠した無線ネットワークでは、１以上のタイマは、これらがサブフレーム０，１又は５〜９の何れか１つにおいてＰＤＣＣＨを受信したことに応答してスタートされるように、当該動的な許可の具体例において定義されてもよい。
【００３４】
いくつかの具体例では、ＵＥ又は無線装置が半複信モードで動作するよう構成されているかに依存することなく、ＵＥの受信回路に電力供給することに関する１以上のタイマが、ダウンリンク／アップリンクサブフレームがＴＤＤコンフィギュレーション３と５との間で一致又は競合することの双方に基づきスタートされるように定義されてもよい。他の例では、１以上のタイマはまた、ＴＤＤコンフィギュレーション３と５との間で一致するダウンリンク／アップリンクサブフレームのみに基づきスタートされるように定義されてもよい。
【００３５】
図７は、一例となる第４ＴＤＤ図７００を示す。ＴＤＤ図７００は、ＵＥ又は無線装置において受信されるダウンリンクサブフレームのタイプに基づきインアクティブタイマが定義される例を示す。いくつかの具体例では、無線ネットワーク１００などのＬＴＥ−Ａに準拠した無線ネットワークにおいて、ダウンリンクサブフレームのタイプは、スケジューリングした基地局から受信したＰＤＣＣＨサブフレームを含むものであってもよい。
【００３６】
いくつかの具体例によると、図７に示されるように、ＴＤＤコンフィギュレーション３は、ＵＥ１０５との通信のためＰＣｅｌｌ１１０について確立されてもよい。また、ＴＤＤコンフィギュレーション５は、ＵＥ１０５との通信のためＳＣｅｌｌ１２０について確立されてもよい。これらの具体例について、ＰＤＣＣＨサブフレームがＰＣｅｌｌ１１０などのスケジューリングするサービングセルからＵＥ１０５において受信されるとき、インアクティビティタイマは、ＵＥの受信回路が次の３つのダウンリンクサブフレームについて電力オフされるように定義されてもよい。図７に示されるように、次の３つのサブフレームは、コンフィギュレーション３についてサブフレーム６〜８である。ＰＣｅｌｌ１１０から受信されたＰＤＣＣＨサブフレームに基づきインアクティブタイマをスタートした結果として、コンフィギュレーション３の３つのダウンリンクサブフレームのみが、満了前にインアクティブタイマが実行された時間を計時するのに利用される。本例について、インアクティブタイマの実行によるＰＣｅｌｌ１１０のアクティブ時間は、３ミリ秒（ｍｓ）であってもよい。
【００３７】
また、図７に示されるように、ＰＤＣＣＨサブフレームがＳＣｅｌｌ１２０などのスケジューリングしたサービングセルからＵＥ１０５において受信されるとき、インアクティブタイマがスタートされ、次の３つのダウンリンクサブフレームにおいて実行されるべきである。しかしながら、図７に示されるように、インアクティブタイマが実行されているとき、サブフレーム０〜３を含むための４つのサブフレームの合計が含まれてもよい。これは、アップリンクサブフレームであるサブフレーム２はカウントされないためである。本例について、インアクティブタイマによるＳＣｅｌｌにおけるアクティブ時間は３ｍｓである。
【００３８】
図示されないが、再送タイマがまた、スケジューリングしたサービングセルからＵＥにおいて受信されたダウンリンクサブフレームのタイプに基づき定義されてもよい。これらの具体例について、ＵＥの受信回路は、再送タイマに関する定義された期間において電力オンに維持されてもよい。定義された期間は、所与の個数のダウンリンクサブフレームに基づくものであってもよい。いくつかの具体例では、再送タイマは、ＨＡＲＱプロセスの開始に応答してスタート又はカウントされてもよい。
【００３９】
図８は、一例となる第５ＴＤＤ図８００を示す。ＴＤＤ図８００は、プライマリセルのＰＤＣＣＨサブフレームに基づきオンデュレーションタイマが定義される例を示す。いくつかの具体例では、無線ネットワーク１００などのＬＴＥ−Ａに準拠した無線ネットワークについて、コンフィギュレーション３がＰＣｅｌｌ１１０に利用される。これらの具体例について、別々のＴＤＤコンフィギュレーションがＰＣｅｌｌ１１０及びＳＣｅｌｌ１２０により確立されているが、ｏｎＤｕｒａｔｉｏｎＴｉｍｅｒの開始又はスタートは、プライマリセルＰＣｅｌｌ１１０に基づき行われる。例えば、ｏｎＤｕｒａｔｉｏｎＴｉｍｅｒは、ＤＲＸコンフィギュレーションに従ってサブフレーム４においてスタートすると想定されるが、ｏｎＤｕｒａｔｉｏｎＴｉｍｅｒは、サブフレーム４がＰＣｅｌｌ１１０についてＰＤＣＣＨサブフレームでないため、サブフレーム５からカウントされる。
【００４０】
図９は、第１装置のブロック図を示す。図９に示されるように、第１装置は装置９００を含む。図９に示される装置９００はあるトポロジー又はコンフィギュレーションにおいて限定数の要素を有するが、装置９００は所与の実現形態について所望されるような他のコンフィギュレーションにおいてより多くの又はより少ない要素を含むものであってもよいことが理解される。
【００４１】
装置９００は、１以上のソフトウェアコンポーネント９２２−ａを実行するよう構成されるプロセッサ回路９２０を有するコンピュータにより実現される装置９００を有してもよい。ここで用いられる“ａ”、“ｂ”、“ｃ”及び同様の識別子は、何れか正の整数を表す変数であると意図されることに留意すべきである。従って、例えば、ある実現形態がａ＝５についてある値を設定する場合、ソフトウェアコンポーネント９２２−ａの完全なセットは、コンポーネント９２２−１，９２２−２，９２２−３，９２２−４及び９２２−５を含むものであってもよい。実施例は、これに限定されるものでない。
【００４２】
いくつかの具体例によると、装置９００は、１以上の３ＧＰＰ  ＬＴＥ規格に準拠した通信システム又はネットワークのネットワーク装置などのシステム装置（ＢＳ１１１に配置されるなど）の一部であってもよい。例えば、装置９００は、ＬＴＥ及び／又はＬＴＥ−Ａに準拠した無線ネットワークの基地局又はｅＮＢの一部として実現されてもよい。
【００４３】
いくつかの具体例では、図９に示されるように、装置９００はプロセッサ回路９２０を有する。プロセッサ回路９２０は、一般に１以上のソフトウェアコンポーネント９２２−ａを実行するよう構成される。プロセッサ回路９２０は、限定することなく、ＡＭＤ（登録商標）、Ａｔｈｌｏｎ（登録商標）、Ｄｕｒｏｎ（登録商標）及びＯｐｔｅｒｏｎ（登録商標）プロセッサ、ＡＲＭ（登録商標）アプリケーション、埋め込み及びセキュアプロセッサ、ＩＢＭ（登録商標）及びＭｏｔｏｒｏｌａ（登録商標）のＤｒａｇｏｎＢａｌｌ（登録商標）及びＰｏｗｅｒＰＣ（登録商標）プロセッサ、ＩＢＭ及びＳｏｎｙ（登録商標）のＣｅｌｌプロセッサ、Ｉｎｔｅｌ（登録商標）のＣｅｌｅｒｏｎ（登録商標）、Ｃｏｒｅ（２）Ｄｕｏ（登録商標）、Ｃｏｒｅ  ｉ３、Ｃｏｒｅ  ｉ５、Ｃｏｒｅ  ｉ７、Ｉｔａｎｉｕｍ（登録商標）、Ｐｅｎｔｉｕｍ（登録商標）、Ｘｅｏｎ（登録商標）及びＸＳｃａｌｅ（登録商標）プロセッサ及び同様のプロセッサを含む各種の市販のプロセッサの何れかとすることが可能である。デュアルマイクロプロセッサ、マルチコアプロセッサ及び他のマルチプロセッサアーキテクチャがまた、プロセッサ回路９２０として利用されてもよい。
【００４４】
いくつかの具体例によると、装置９００はコンフィギュレーションコンポーネント９２２−１を有してもよい。コンフィギュレーションコンポーネント９２２−１は、無線装置又はＵＥに通信接続するため第１ＴＤＤコンフィギュレーションを確立するため、プロセッサ回路９２０による実行用に構成されてもよい。例えば、コンフィギュレーションコンポーネント９２２−１は、図３のＴＤＤコンフィギュレーションテーブル３００に示される７つのＴＤＤコンフィギュレーションの１つを確立してもよい。
【００４５】
いくつかの具体例では、装置９００はまた受信コンポーネント９２２−２を有してもよい。受信コンポーネント９２２−２は、１以上の他のサービングセルのＴＤＤコンフィギュレーション情報９１０を受信するため、プロセッサ回路９２０による実行用に構成されてもよい。１以上の他のサービングセルの少なくとも１つは、無線装置又はＵＥのセカンダリサービングセルであってもよい。コンフィギュレーション情報９１０は、セカンダリサービングセルが無線装置又はＵＥと通信接続するため第２ＴＤＤコンフィギュレーションを確立したことを示すものであってもよい。いくつかの具体例によると、第２ＴＤＤコンフィギュレーションはまた、ＴＤＤコンフィギュレーションテーブル３００に示される７つのＴＤＤコンフィギュレーションの１つからのものであってもよい。しかしながら、本例について、セカンダリサービングセルにより確立されるＴＤＤコンフィギュレーションテーブル３００からの第２ＴＤＤコンフィギュレーションは、コンフィギュレーションコンポーネント９２２−１により確立された第１ＴＤＤコンフィギュレーションと異なる。
【００４６】
いくつかの具体例では、装置９００はまたタイマコンポーネント９２２−３を有してもよい。タイマコンポーネント９２２−３は、第１及び第２ＴＤＤコンフィギュレーションに基づき無線装置又はＵＥの受信回路を一時的に電力オフ又はオンすることに関する１以上のタイマを定義するため、プロセッサ回路９２０による実行用に構成されてもよい。これらの具体例について、１以上のタイマの定義は、タイマコンポーネント９２２−３によって少なくとも一時的に維持されてもよい（例えば、ルックアップテーブル（ＬＵＴ）などのデータ構造又は永続メモリの専用部分に格納されるなど）。当該定義は、オンデュレーションタイマ定義９２４−ａ、インアクティブタイマ定義９２６−ｂ又は再送タイマ定義９２８−ｃを含むものであってもよい。
【００４７】
いくつかの具体例によると、無線インタフェース（図９に図示せず）は、プロセッサ回路９２０に接続されてもよい。無線インタフェースは、装置９００を含む基地局（無線ネットワーク１００のＢＳ１１１など）に通信接続される無線装置又はＵＥとタイマ定義情報９３０−ｄを通信するため利用されてもよい。これらの具体例について、タイマ定義情報９３０−ｄは、上述されたようなタイマコンポーネント９２２−３により定義されるようなオンデュレーション、インアクティブ又は再送タイマの定義を含むものであってもよい。
【００４８】
装置９００の各種コンポーネント及び装置９００を実現するデバイスは、各処理を連係するため各種タイプの通信媒体によって互いに通信接続されてもよい。当該連係は、情報の一方向又は双方向のやりとりを伴うものであってもよい。例えば、コンポーネントは、通信媒体上で通信される信号の形態により情報を通信してもよい。情報は、各種信号線に割り当てられる信号として実現可能である。このような割当では、各メッセージは信号である。しかしながら、更なる実施例はあるいはデータメッセージを利用してもよい。このようなデータメッセージは、各種接続を介し送信されてもよい。一例となる接続は、パラレルインタフェース、シリアルインタフェース及びバスインタフェースを含む。
【００４９】
開示されるアーキテクチャの新規な側面を実行するための一例となる方法を表すロジックフローセットが含まれる。説明の簡単化のため、ここに示される１以上の方法は処理系列として図示及び説明されるが、当業者は、これらの方法が当該処理順序に限定されるものでないことを理解するであろう。ある処理は、これによるとここに図示及び説明されるものと異なる順序及び／又は他の処理と同時に行われてもよい。例えば、当業者は、ある方法が状態図などにおける相互関連する状態又はイベントの系列として表すことが可能であることを理解するであろう。さらに、ある方法において示される必ずしも全ての処理が、新規な実現形態について求められなくてもよい。
【００５０】
ロジックフローは、ソフトウェア、ファームウェア及び／又はハードウェアにより実現されてもよい。ソフトウェア及びファームウェアの実現形態では、ロジックフローは、光、磁気又は半導体ストレージなどの少なくとも１つの非一時的なコンピュータ可読媒体又はマシーン可読媒体に格納されるコンピュータにより実行可能な命令により実現されてもよい。実施例はこれに限定されるものでない。
【００５１】
図１０は、第１ロジックフローの一例を示す。図１０に示されるように、第１ロジックフローはロジックフロー１０００を含む。ロジックフロー１０００は、装置９００などのここに説明される１以上のロジック、特徴又はデバイスにより実行される処理の全て又は一部を表すものであってもよい。特に、ロジックフロー１０００は、コンフィギュレーションコンポーネント９２２−１、受信コンポーネント９２２−２又はタイマコンポーネント９２２−３により実現されてもよい。
【００５２】
図１０に示される図示された具体例では、ロジックフロー１０００は、ＵＥの第１サービングセルをサポートするよう構成される基地局においてＵＥとの通信に関する第１ＴＤＤコンフィギュレーションを確立してもよい。いくつかの具体例によると、コンフィギュレーションコンポーネント９２２−１は、無線ネットワーク１００のＰＣｅｌｌ１１０とのＣＬ１１３を介した通信を確立するため、ＵＥ１０５などのＵＥとの第１ＴＤＤコンフィギュレーションを確立してもよい。これらの具体例について、第１ＴＤＤコンフィギュレーションは、図３〜８に示されるようなＴＤＤコンフィギュレーション３を含むものであってもよい。
【００５３】
いくつかの具体例によると、ブロック１００４におけるロジックフロー１０００は、第２サービングセルのＴＤＤコンフィギュレーション情報を受信してもよい。ＴＤＤコンフィギュレーションは、第２サービングセルが第１ＴＤＤコンフィギュレーションと異なるＵＥとの通信に関する第２ＴＤＤコンフィギュレーションを確立したことを示すものであってもよい。例えば、受信コンポーネント９２２−２は、ＳＣｅｌｌ１２０のＴＤＤコンフィギュレーション情報９１０を受信してもよい。ＴＤＤコンフィギュレーション情報９１０は、ＳＣｅｌｌ１２０がＣＬ１２３を介した通信のためにＵＥ１０５とのコンフィギュレーション５を確立したことを示すものであってもよい。図３〜８に示されるように、コンフィギュレーション５はコンフィギュレーション３と異なるＴＤＤコンフィギュレーションである。
【００５４】
いくつかの具体例によると、ブロック１００６におけるロジックフロー１０００は、第１及び第２ＴＤＤコンフィギュレーションに基づきＵＥの受信回路を一時的に又は選択的に電力オン又はオフするこに関する１以上のタイマを定義してもよい。ロジックフロー１０００はまた、オンデュレーションタイマ、インアクティブタイマ又は再送タイマとしてブロック１００８において１以上のタイマを定義してもよい。いくつかの具体例では、タイマコンポーネント９２２−３は、コンフィギュレーション３，５に基づき１以上のタイマを定義してもよい。図４〜８について上述されたように、いくつかの具体例によると、１以上のタイマは、異なる周波数、ダウンリンク／アップリンクサブフレームの一致又は相違、無線装置の動作モード（半複信など）又はＵＥにおいて受信されたダウンリンクサブフレームのタイプに基づき定義されてもよい。
【００５５】
いくつかの具体例では、ブロック１０１０におけるロジックフロー１０００は、ＵＥに１以上のタイマの定義を通知する情報を送信してもよい。例えば、タイマコンポーネント９２２−３は、タイマ定義情報９３０−ｄをＵＥ１０５に送信させてもよい。
【００５６】
図１１は、第２ロジックフローの一例を示す。図１１に示されるように、第２ロジックフローはロジックフロー１１００を有する。ロジックフロー１１００は、装置９００などのここに説明される１以上のロジック、特徴又はデバイスにより実行される処理の一部又は全てを表すものであってもよい。特に、ロジックフロー１１００は、コンフィギュレーションコンポーネント９２２−１、受信コンポーネント９２２−２又はタイマコンポーネント９２２−３により実現されてもよい。
【００５７】
図１１に示される図示された具体例において、ロジックフロー１１００は、ブロック１１０２においてＬＴＥ−Ａに関する規格を含むように、１以上の３ＧＰＰ  ＬＴＥ規格又は仕様に準拠してｅＮＢとして基地局を動作してもよい。例えば、無線ネットワーク１００のＢＳ１１０は、ＬＴＥ−Ａに関する１以上の仕様に準拠して動作するよう構成されてもよい。ＢＳ１１１はまた、無線ネットワーク１００のＰＣｅｌｌ１１０などのプライマリサービングセルとして機能してもよい。
【００５８】
いくつかの具体例によると、ロジックフロー１１００は、ブロック１１０４においてＤＲＸタイマを含むＵＥの受信回路を一時的に電力オン又はオフするための１以上のタイマを定義してもよい。これらの具体例について、ＤＲＸタイマは、ｏｎＤｕｒａｔｉｏｎＴｉｍｅｒ、ｄｒｘ−ＲｅｔｒａｎｓｍｉｓｓｉｏｎＴｉｍｅｒ又はｄｒｘ−ＩｎａｃｔｉｖｉｔｙＴｉｍｅｒを含むものであってもよい。
【００５９】
いくつかの具体例では、ロジックフロー１１００は、ブロック１１０６においてＰＤＣＣＨサブフレームに基づきＵＥにおいてカウントされるＤＲＸタイマを定義してもよい。例えば、ｏｎＤｕｒａｔｉｏｎＴｉｍｅｒ、ｄｒｘ−ＲｅｔｒａｎｓｍｉｓｓｉｏｎＴｉｍｅｒ又はｄｒｘ−ＩｎａｃｔｉｖｉｔｙＴｉｍｅｒは、ＰＣｅｌｌ１１０又はＳＣｅｌｌ１２０について確立されたＴＤＤコンフィギュレーションに関するＰＤＣＣＨサブフレームに基づきスタートされてもよい。
【００６０】
いくつかの具体例によると、ロジックフロー１１００は、ブロック１１０８においてＵＥにサービスを提供するプライマリセルをサポートするｅＮＢとして基地局を構成してもよい。これらの具体例について、ｏｎＤｕｒａｔｉｏｎＴｉｍｅｒは、プライマリセルのＰＤＣＣＨサブフレームに基づきカウントされるように定義されてもよい。例えば、図７について上述されたように、ＢＳ１１１は、ＵＥ１０５にサービスを提供するＰＣｅｌｌ１１０をサポートするよう構成され、ＰＣｅｌｌ１１０のＴＤＤコンフィギュレーションに関するＰＤＣＣＨサブフレームは、ｏｎＤｕｒａｔｉｏｎＴｉｍｅｒをトリガする。
【００６１】
いくつかの具体例では、ブロック１１１０におけるロジックフロー１１００はまた、スケジューリングしたサービングセルからＵＥがＰＤＣＣＨサブフレームを受信したことに応答して、ｄｒｘ−ＲｅｔｒａｎｓｍｉｓｓｉｏｎＴｉｍｅｒ又はｄｒｘ−ＩｎａｃｔｉｖｉｔｙＴｉｍｅｒがカウントされるように、ｄｒｘ−ＲｅｔｒａｎｓｍｉｓｓｉｏｎＴｉｍｅｒ又はｄｒｘ−ＩｎａｃｔｉｖｉｔｙＴｉｍｅｒを定義してもよい。スケジューリングしたサービングセルは、プライマリサービングセル又は他のサービングセルからのものであってもよい。例えば、ＵＥ１０５とのデータのやりとりをスケジューリングしているＰＣｅｌｌ１１０又はＳＣｅｌｌ１２０のＰＤＣＣＨサブフレームの受信に応答して、これらのＤＲＸタイマがスタートされてもよい。その後、ロジックフロー１１００は終了する。
【００６２】
図１２は、第１記憶媒体の実施例を示す。図１２に示されるように、第１記憶媒体は記憶媒体１２００を有する。記憶媒体１２００は製造物から構成される。いくつかの具体例では、記憶媒体１２００は、光、磁気又は半導体ストレージなどの何れかの非一時的なコンピュータ可読媒体又はマシーン可読媒体を含むものであってもよい。記憶媒体１２００は、ロジックフロー１０００又は１１００を実現するための命令などの各種タイプのコンピュータ実行可能な命令を格納してもよい。コンピュータ可読又はマシーン可読記憶媒体の具体例は、揮発性メモリ若しくは不揮発性メモリ、着脱可能又は着脱不可なメモリ、消去可能若しくは消去不可なメモリ、書き込み可能若しくは書き換え可能なメモリなどを含む電子データを格納可能な何れかの有形の媒体を含むものであってもよい。コンピュータ実行可能命令の具体例は、ソースコード、コンパイルコード、インタープリットコード、実行可能コード、静的コード、動的コード、オブジェクト指向コード、ビジュアルコードなどの何れか適切なタイプのコードを含むものであってもよい。具体例はこれに限定されるものでない。
【００６３】
図１３は、第２装置の一例となるブロック図を示す。図１３に示されるように、第２装置は装置１３００を含む。図１３に示される装置１３００は特定のトポロジー又はコンフィギュレーションにおいて限定数の要素を有するが、装置１３００は所与の実現形態について所望されるような他のコンフィギュレーションにおいてより多くの又はより少ない要素を含むものであってもよいことが理解されてもよい。
【００６４】
装置１３００は、１以上のソフトウェアコンポーネント１３２２−ａを実行するよう構成されるプロセッサ回路１３２０を有するコンピュータにより実現される装置１３００を有してもよい。図９の装置９００と同様に、
“ａ”、“ｂ”、“ｃ”及び同様の識別子は、何れか正の整数を表す変数であってもよい。プロセッサ回路９２０は、限定することなく、装置９００の処理回路について上述されたものどを含むよう、各種の市販のプロセッサの何れかとすることが可能である。デュアルマイクロプロセッサ、マルチコアプロセッサ及び他のマルチプロセッサアーキテクチャがまた、プロセッサ回路１３２０として利用されてもよい。
【００６５】
いくつかの具体例によると、装置１３００は、３ＧＰＰ  ＬＴＥ規格に説明されるものなどの１以上の無線ブロードバンド技術に準拠して動作するよう構成される無線装置又はＵＥの一部であってもよい。例えば、装置１３００は、ＬＴＥ及び／又はＬＴＥ−Ａに準拠した無線ネットワークに通信接続するよう構成されてもよい。具体例はこれに限定されるものでない。
【００６６】
いくつかの具体例によると、装置１３００は、受信コンポーネント１３２２−１を有してもよい。受信コンポーネント１３２２−１は、タイマ定義情報１３１０を受信するため、プロセッサ回路１３２０による実行用に構成されてもよい。これらの具体例について、タイマ定義情報１３１０は、各自の第１及び第２ＴＤＤコンフィギュレーションを用いて第１及び第２サービングセルからデータを受信するよう構成される受信回路に電力供給することに関する第１及び第２タイマセットを有してもよい。
【００６７】
いくつかの具体例では、装置１３００はまたタイマコンポーネント１３２２−２を有してもよい。タイマコンポーネント１３２２−２は、タイマ定義情報１３１０に含まれる第１及び第２タイマセットの定義を少なくとも一時的に維持するため、プロセッサ回路１３２０による実行用に構成されてもよい（例えば、ルックアップテーブル（ＬＵＴ）などのデータ構造又は永続メモリの専用部分に格納されるなど）。これらの具体例について、当該定義は、オンデュレーションタイマ定義１３２４−ａ、インアクティブタイマ定義１３２６−ｂ又は再送タイマ定義１２２８−ｃを含むものであってもよい。
【００６８】
いくつかの具体例によると、図４〜８について上述されたように、定義に依存して、所与のサービングセルからのＰＤＣＣＨ１３３０−ｄなどのデータを受信したことに応答して、タイマコンポーネント１３２２−２は、無線装置又はＵＥの受信回路を選択的に電力オン又はオフするよう構成されてもよい。例えば、プライマリサービングセルからのＰＤＣＣＨサブフレームに応答して、無線装置又はＵＥは、受信回路に電力を維持するためのオンデュレーションタイマをスタートしてもよい。他の具体例について、スケジューリングしたサービングセルからＰＤＣＣＨサブフレームを受信したことに応答して、無線装置又はＵＥは、ＵＥが受信回路を最終的に電力オフすることを可能にするインアクティビティタイマをスタートするか、又は電力を維持するため再送タイマをスタートしてもよい。
【００６９】
装置１３００の各種コンポーネント及び装置１３００を実現するデバイスは、各処理を連係するため各種タイプの通信媒体によって互いに通信接続されてもよい。当該連係は、情報の一方向又は双方向のやりとりを伴うものであってもよい。例えば、コンポーネントは、通信媒体上で通信される信号の形態により情報を通信してもよい。情報は、各種信号線に割り当てられる信号として実現可能である。このような割当では、各メッセージは信号である。しかしながら、更なる実施例はあるいはデータメッセージを利用してもよい。このようなデータメッセージは、各種接続を介し送信されてもよい。一例となる接続は、パラレルインタフェース、シリアルインタフェース及びバスインタフェースを含む。
【００７０】
図１４は、第３ロジックフローの一例を示す。図１４に示されるように、第３ロジックフローはロジックフロー１４００を含む。ロジックフロー１４００は、装置１３００などのここに説明される１以上のロジック、特徴又はデバイスにより実行される処理の全て又は一部を表すものであってもよい。特に、ロジックフロー１４００は、受信コンポーネント１３２２−１又はタイマコンポーネント１３２２−２により実現されてもよい。
【００７１】
図１４に示される図示された具体例では、ブロック１４０２におけるロジックフロー１４００は、第１ＴＤＤコンフィギュレーションを用いて第１サービングセルからデータを受信するよう構成される回路に電力供給することに関する第１タイマセットを受信してもよい。例えば、装置１３００は、ＵＥ１０５などの無線装置の一部であってもよい。これらの具体例について、受信コンポーネント１３２２−１は、図３のＴＤＤコンフィギュレーションテーブル３００に示されるようなコンフィギュレーション３を利用して、ＵＥ１０５と通信するよう構成されるＰＣｅｌｌ１００などのサービングセルから第１タイマセットを受信してもよい。第１タイマセットは、オンデュレーション、再送又はインアクティビティタイマの１以上を有してもよい。
【００７２】
いくつかの具体例によると、ブロック１４０４のロジックフロー１４００は、第２ＴＤＤコンフィギュレーションを用いて第２サービングセルからデータを受信するよう構成される回路に電力供給することに関する第２タイマセットを受信してもよい。これらの具体例について、受信コンポーネント１３２２−１は、図３のＴＤＤコンフィギュレーションテーブル３００に示されるようなコンフィギュレーション５を用いて、ＵＥ１０５と通信するよう構成されるＳＣｅｌｌ１２０などのサービングセルから第２タイマセットを受信してもよい。第２タイマセットは、オンデュレーション、再送又はインアクティビティタイマの１以上を有してもよい。
【００７３】
いくつかの具体例では、ロジックフロー１４００は、ブロック１４０６において、第１サービングセルからデータを受信してもよい。これらの具体例について、ＵＥ１０５とＰＣｅｌｌ１１０をサポートするＢＳ１１１とは、無線ネットワーク１００のＬＴＥ−Ａに準拠した要素であってもよく、受信データはＰＤＣＣＨサブフレームであってもよい。ブロック１４０８のロジックフロー１４００は、第１タイマセットに基づき受信回路を選択的に電力オン又はオフしてもよい。
【００７４】
いくつかの具体例によると、ロジックフロー１４００は、ブロック１４１０において第２サービングセルからデータを受信してもよい。これらの具体例について、ＢＳ１１１はまた、ＳＣｅｌｌ１２０をサポートするよう構成されてもよい。ブロック１４１２においてロジック１４００は、その後、第２タイマセットに基づき受信回路を選択的に電力オン又はオフしてもよい。
【００７５】
図１５は、第４ロジックフローの一例を示す。図１５に示されるように、第４ロジックフローはロジックフロー１５００を有する。ロジックフロー１５００は、装置１３００などのここに説明される１以上のロジック、特徴又はデバイスにより実行される処理の一部又は全てを表すものであってもよい。特に、ロジックフロー１５００は、受信コンポーネント１３２２−１又はタイマコンポーネント１３２２−２により実現されてもよい。
【００７６】
図１５に示される図示された具体例において、ロジックフロー１５００は、ブロック１５０２においてＬＴＥ−Ａに関する規格を含むように、１以上の３ＧＰＰ  ＬＴＥ規格又は仕様に準拠したシステムにより実現されてもよい。例えば、ＵＥ１０５などの無線ネットワーク１００の要素は、ＬＴＥ−Ａに関する１以上の仕様に準拠して動作するよう構成されてもよい。
【００７７】
いくつかの具体例によると、ロジックフロー１５００は、ブロック１５０４において第１及び第２サービングセルから第１及び第２タイマセットを受信してもよい。これらの具体例について、第１及び第２タイマセットは、ｏｎＤｕｒａｔｉｏｎＴｉｍｅｒ、ｄｒｘ−ＲｅｔｒａｎｓｍｉｓｓｉｏｎＴｉｍｅｒ又はｄｒｘ−ＩｎａｃｔｉｖｉｔｙＴｉｍｅｒなどのＤＲＸタイマを含むものであってもよい。
【００７８】
いくつかの具体例では、ロジックフロー１５００は、ブロック１５０６において、ＤＲＸタイマが第１又は第２サービングセルから受信したＰＤＣＣＨサブフレームに基づきカウントされるように、ＤＲＸタイマを定義してもよい。例えば、ｏｎＤｕｒａｔｉｏｎＴｉｍｅｒ、ｄｒｘ−ＲｅｔｒａｎｓｍｉｓｓｉｏｎＴｉｍｅｒ又はｄｒｘ−ＩｎａｃｔｉｖｉｔｙＴｉｍｅｒは、ＰＣｅｌｌ１１０又はＳＣｅｌｌ１２０から受信したＰＤＣＣＨサブフレームに基づきカウントされてもよい。
【００７９】
いくつかの具体例によると、ロジックフロー１５００は、ブロック１５０８において、プライマリセルとして機能する第１サービングセルのＰＤＣＣＨサブフレームに基づきカウントされる第１及び第２タイマセットの双方に含まれるｏｎＤｕｒａｔｉｏｎＴｉｍｅｒを定義してもよい。これらの具体例について、図７について上述したものと同様に、ＰＣｅｌｌ１１０のＰＤＣＣＨサブフレームは、ＵＥ１０５のｏｎＤｕｒａｔｉｏｎＴｉｍｅｒをトリガしてもよい。従って、ＴＤＤコンフィギュレーションテーブル３００からのコンフィギュレーション３又は５を利用するかに関わらず、ｏｎＤｕｒａｔｉｏｎＴｉｍｅｒは、ＰＣｅｌｌ１１０のＰＤＣＣＨサブフレームに基づきカウントされる。
【００８０】
いくつかの具体例では、ロジックフロー１５００は、ブロック１５１０において、第１サービングセル又は第２サービングセルから受信したＰＤＣＣＨサブフレームがｄｒｘ−ＩｎａｃｔｉｖｉｔｙＴｉｍｅｒをカウント又はトリガさせるように、ｄｒｘ−ＩｎａｃｔｉｖｉｔｙＴｉｍｅｒを定義してもよい。例えば、図８について上述されたものと同様に、ＵＥ１０５とのデータのやりとりをスケジューリングするため、ＰＣｅｌｌ１１０又は１２０から受信したＰＤＣＣＨサブフレームは、第１又は第２タイマセットに含まれるｄｒｘ−ＩｎａｃｔｉｖｉｔｙＴｉｍｅｒをトリガしてもよい。その後、ロジックフロー１５００は終了する。
【００８１】
図１６は、第２記憶媒体の実施例を示す。図１６に示されるように、第２記憶媒体は記憶媒体１６００を有する。記憶媒体１６００は製造物から構成される。いくつかの具体例では、記憶媒体１６００は、光、磁気又は半導体ストレージなどの何れかの非一時的なコンピュータ可読媒体又はマシーン可読媒体を含むものであってもよい。記憶媒体１６００は、ロジックフロー１４００又は１５００を実現するための命令などの各種タイプのコンピュータ実行可能な命令を格納してもよい。コンピュータ可読又はマシーン可読記憶媒体の具体例は、揮発性メモリ若しくは不揮発性メモリ、着脱可能又は着脱不可なメモリ、消去可能若しくは消去不可なメモリ、書き込み可能若しくは書き換え可能なメモリなどを含む電子データを格納可能な何れかの有形の媒体を含むものであってもよい。コンピュータ実行可能命令の具体例は、ソースコード、コンパイルコード、インタープリットコード、実行可能コード、静的コード、動的コード、オブジェクト指向コード、ビジュアルコードなどの何れか適切なタイプのコードを含むものであってもよい。具体例はこれに限定されるものでない。
【００８２】
図１７は、ブロードバンド無線アクセスネットワークにおいて利用されるデバイス１７００の実施例を示す。デバイス１７００は、例えば、装置９００若しくは１３００、記憶媒体１２００若しくは１６００及び／又はロジック回路１７７０などを実現してもよい。ロジック回路１７７０は、装置９００又は１３００について説明された処理を実行する物理回路を含むものであってもよい。図１７に示されるように、当該構成に限定されるものでないが、デバイス１７００は、無線インタフェース１７１０、ベースバンド回路１７２０及び計算プラットフォーム１７３０を含むものであってもよい。
【００８３】
デバイス１７００は、完全に単一のデバイスなぢなどの単一の計算エンティティにおける装置９００若しくは１３００、記憶媒体１２００若しくは１６００及び／又は論理回路１７７０の処理及び／又は構成の一部又は全てを実現してもよい。あるいは、デバイス１７００は、クライアント・サーバアーキテクチャ、３層アーキテクチャ、Ｎ層アーキテクチャ、タイト接続若しくはクラスタ化されたアーキテクチャ、ピア・ツー・ピアアーキテクチャ、マスタ・スレーブアーキテクチャ、共有データベースアーキテクチャ及び他のタイプの分散システムなどの分散システムアーキテクチャを用いた複数の計算エンティティに対して、装置９００若しくは１３００、記憶媒体１２００若しくは１６００及び／又はロジック回路１７７０の処理及び／又は構成の各部分を分散してもよい。具体例はこれに限定されるものでない。
【００８４】
いくつかの具体例では、実施例は何れか特定のオーバ・ザ・エアインタフェースや変調方式に限定されるものでないが、無線インタフェース１７１０は、シングルキャリア又はマルチキャリア変調信号（例えば、ＣＣＫ（Ｃｏｍｐｌｅｍｅｎｔａｒｙ  Ｃｏｄｅ  Ｋｅｙｉｎｇ）及び／又はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含む）を送信及び／又は受信するよう構成されるコンポーネント又はコンポーネントの組み合わせを含むものであってもよい。無線インタフェース１７１０は、例えば、受信機１７１２、送信機１７１６及び／又は周波数シンセサイザ１７１４などを含むものであってもよい。無線インタフェース１７１０は、バイアスコントロール、水晶発振器及び／又は１以上のアンテナ１７１８−ｆを含むものであってもよい。他の実施例では、無線インタフェース１７１０は、所望されるように、外部の電圧制御オシレータ（ＶＣＯ）、表面弾性波フィルタ、中間周波数（ＩＦ）フィルタ及び／又はＲＦフィルタを利用してもよい。潜在的に各種のＲＦインタフェースの設計によって、それの拡張的な説明は省略される。
【００８５】
いくつかの具体例によると、デバイス１７００は、無線装置又はＵＥにより実現されてもよい。これらの具体例について、信号を受信するよう構成されるコンポーネント又はコンポーネントの組み合わせは、図１〜１６について上述されたように定義された１以上のタイマに基づき選択的に電力オン又はオフされる受信回路を含むものであってもよい。
【００８６】
ベースバンド回路１７２０は、信号の送受信を処理するため、無線インタフェース１７１０と通信し、例えば、受信信号をダウン変換するためのアナログ・ツー・デジタルコンバータ１７２２、送信信号をアップ変換するためのデジタル・ツー・アナログコンバータ１７２４などを含むものであってもよい。さらに、ベースバンド回路１７２０は、各受信／送信信号のＰＨＹリンクレイヤ処理のためのベースバンド又は物理レイヤ（ＰＨＹ）処理回路１７２６を有してもよい。ベースバンド回路１７２０は、例えば、ＭＡＣ（Ｍｅｄｉｕｍ  Ａｃｃｅｓｓ  Ｃｏｎｔｒｏｌ）／データリンクレイヤ処理のための処理回路１７２８などを含むものであってもよい。ベースバンド回路１７２０は、例えば、１以上のインタフェース１７３４などを介しＭＡＣ処理回路１７２８及び／又は計算プラットフォーム１７３０と通信するためのメモリコントローラ１７３２を有してもよい。
【００８７】
いくつかの実施例では、ＰＨＹ処理回路１７２６は、通信フレーム（サブフレームなどを含む）を構成及び／又は解体するため、バッファメモリなどの追加的な回路と共にフレーム構成及び／又は検出モジュールを有してもよい。あるいは又はさらに、ＭＡＣ処理回路１７２８は、これらのファンクションの特定のものについて処理を共有するか、又はＰＨＹ処理回路１７２６から独立してこれらの処理を実行してもよい。いくつかの実施例では、ＭＡＣ及びＰＨＹ処理は、単一の回路に統合されてもよい。
【００８８】
計算プラットフォーム１７３０は、デバイス１７００の計算機能を提供してもよい。図示されるように、計算プラットフォーム１７３０は、処理コンポーネント１７４０を有してもよい。さらに又は代わりに、デバイス１７００のベースバンド回路１７２０は、装置９００若しくは１３００、記憶媒体１２００若しくは１６００及び処理コンポーネント１７３４０を用いたロジック回路１７７０のための処理又はロジックを実行してもよい。処理コンポーネント１７４０（及び／又はＰＨＹ１７２６及び／又はＭＡＣ１７２８）は、各種ハードウェア要素、ソフトウェア要素又は双方の組み合わせから構成されてもよい。ハードウェア要素の具体例は、デバイス、ロジックデバイス、コンポーネント、プロセッサ、マイクロプロセッサ、回路、プロセッサ回路（プロセッサ回路７２０など）、回路要素（トランジスタ、レジスタ、キャした、インダクタなど）、集積回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）、メモリユニット、ロジックゲート、レジスタ、半導体デバイス、チップ、マイクロチップ、チップセットなどを含むものであってもよい。ソフトウェア要素の具体例は、ソフトウェアコンポーネント、プログラム、アプリケーション、コンピュータプログラム、アプリケーションプログラム、システムプログラム、ソフトウェアデベロップメントプログラム、マシーンプログラム、オペレーティングシステムプログラム、ミドルウェア、ファームウェア、ソフトウェアモジュール、ルーチン、サブルーチン、ファンクション、メソッド、プロシージャ、ソフトウェアインタフェース、ＡＰＩ（Ａｐｐｌｉｃａｔｉｏｎ  Ｐｒｏｇｒａｍ  Ｉｎｔｅｒｆａｃｅ）、命令セット、計算コード、コンピュータコード、コードセグメント、コンピュータコードセグメント、ワード、値、シンボル又はこれらの何れかの組み合わせを含むものであってもよい。ハードウェア要素及び／又はソフトウェア要素を用いて具体例が実現されるかの判断は、所与の具体例について所望されるような所望の計算レート、電力レベル、熱耐性、処理サイクルバジェット、入力データレート、出力データレート、メモリリソース、データバススピード及び他の設計若しくはパフォーマンス制約の何れかの個数のファクタに従って変化してもよい。
【００８９】
計算プラットフォーム１７３０は更に、他のプラットフォームコンポーネント１７５０を有してもよい。他のプラットフォームコンポーネント１７５０は、１以上のプロセッサ、マルチコアプロセッサ、コプロセッサ、メモリユニット、チップセット、コントローラ、周辺装置、インタフェース、オシレータ、タイミングデバイス、ビデオカード、オーディオカードマルチメディア入出力（Ｉ／Ｏ）コンポーネント（デジタルディスプレイなど）、電源などの一般的な計算要素を含む。メモリユニットの具体例は、限定することなく、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＤＲＡＭ（Ｄｙｎａｍｉｃ  ＲＡＭ）、ＤＤＲＡＭ（Ｄｏｕｂｌｅ−Ｄａｔａ−Ｒａｔｅ  ＤＲＡＭ）、ＳＤＲＡＭ（Ｓｙｎｃｈｒｏｎｏｕｓ  ＤＲＡＭ）、ＳＲＡＭ（Ｓｔａｔｉｃ  ＲＡＭ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰＲＯＭ）、フラッシュメモリ、強誘電性ポリマーメモリ、オボニックメモリ、相変化若しくは強誘電性メモリなどのポリマーメモリ、ＳＯＮＯＳ（Ｓｉｌｉｃｏｎ−Ｏｘｉｄｅ−Ｎｉｔｒｉｄｅ−Ｏｘｉｄｅ−Ｓｉｌｉｃｏｎ）メモリ、磁気若しくは光カード、ＲＡＩＤ（Ｒｅｄｕｎｄａｎｔ  Ａｒｒａｙ  ｏｆ  Ｉｎｄｅｐｅｎｄｅｎｔ  Ｄｉｓｋ）ドライブなどのデバイスのアレイ、ソリッドステートメモリデバイス（ＵＳＢメモリ、ＳＳＤ（Ｓｏｌｉｄ  Ｓｔａｔｅ  Ｄｒｉｖｅ）など）及び情報を格納するのに適した他の何れかのタイプの記憶媒体など、１以上の高速メモリユニットの形態による各種タイプのコンピュータ可読及びマシーン可読記憶媒体を含むものであってもよい。
【００９０】
計算プラットフォーム１７３０は更に、ネットワークインタフェース１７６０を有してもよい。ある実施例では、ネットワークインタフェース１７６０は、１以上の３ＧＰＰ  ＬＴＥ又はＬＴＥ−Ａ仕様又は規格に記載されるものとなる１以上の無線ブロードバンド技術に準拠して動作するネットワークインタフェースをサポートするためのロジック及び／又は特徴を含むものであってもよい。
【００９１】
デバイス１７００は、例えば、ユーザ装置、コンピュータ、パーソナルコンピュータ（ＰＣ）、デスクトップコンピュータ、ラップトップコンピュータ、ノートブックコンピュータ、ネットブックコンピュータ、サーバ、サーバアレイ若しくはサーバファーム、ウェブサーバ、ネットワークサーバ、インターネットサーバ、ワークステーション、ミニコンピュータ、メインフレームコンピュータ、スーパーコンピュータ、ネットワーク機器、ウェブ機器、分散計算システム、マルチプロセッサシステム、プロセッサベースシステム、無線アクセスポイント、基地局、ノードＢ、加入局、移動加入センタ、無線ネットワークコントローラ、ルータ、ハブ、ゲートウェイ、ブリッジ、スイッチ、マシーン又はこれらの組み合わせなどであってもよい。従って、ここに説明されるデバイス１７００のファンクション及び／又は特定のコンフィギュレーションは、適切に所望されるように、デバイス１７００の各種実施例において包含又は省略されてもよい。いくつかの実施例では、デバイス１７００は、具体例はこれに限定されるものでないが、ここに引用される３ＧＰＰ  ＬＴＥ規格、ＷＷＡＮのためのＩＥＥＥ８０２．１６規格及び／又は他のブロードバンド無線ネットワークの１以上に関連するプロトコル及び周波数と互換的となるよう構成されてもよい。
【００９２】
デバイス１７００の実施例は、ＳＩＳＯ（Ｓｉｎｇｌｅ  Ｉｎｐｕｔ  Ｓｉｎｇｌｅ  Ｏｕｔｐｕｔ）アーキテクチャを用いて実現されてもよい。しかしながら、特定の実現形態は、ビームフォーミング若しくはＳＤＭＡ（Ｓｐａｔｉａｌ  Ｄｉｖｉｓｉｏｎ  Ｍｕｌｔｉｐｌｅ  Ａｃｃｅｓｓ）のための適応的アンテナ技術を利用して、及び／又はＭＩＭＯ（Ｍｕｌｔｉｐｌｅ  Ｉｎｐｕｔ  Ｍｕｌｔｉｐｌｅ  Ｏｕｔｐｕｔ）通信技術を利用して、送信及び／又は受信のための複数のアンテナ（アンテナ１７１８−ｆなど）を有してもよい。
【００９３】
デバイス１７００のコンポーネント及び特徴は、離散的な回路、ＡＳＩＣ、ロジックゲート及び／又はシングルチップアーキテクチャの何れかの組み合わせを用いて実現されてもよい。さらに、デバイス１７００の特徴は、マイクロコントローラ、プログラマブルロジックアレイ及び／又はマイクロプロセッサ、又は適切な場合には上記の何れかの組み合わせを用いて実現されてもよい。ハードウェア、ファームウェア及び／又はソフトウェア要素は、“ロジック”又は“回路”としてここではまとめて若しくは個別に参照されてもよい。
【００９４】
図１７のブロック図に示される一例となるデバイス１７００は、多数の可能な実現形態の１つの機能的に記述された具体例を表すことが理解されるべきである。従って、添付した図面に示されるブロック機能の分割、省略又は包含は、これらの機能を実現するためのハードウェアコンポーネント、回路、ソフトウェア及び／又は要素が実施例において必ずしも分割、省略又は包含されることを示していない。
【００９５】
図１８は、ブロードバンド無線アクセスシステム１８００の実施例を示す。図１８に示されるように、ブロードバンド無線アクセスシステム１８００は、インターネット１８１０へのモバイル無線アクセス及び／又は固定無線アクセスをサポートすることが可能なインターネット１８１０タイプネットワークなどを有するインターネットプロトコル（ＩＰ）タイプネットワークであってもよい。１以上の実施例では、ブロードバンド無線アクセスシステム１８００は、３ＧＰＰ  ＬＴＥ仕様及び／又はＩＥＥＥ８０２．１６規格の１以上に準拠するシステムなどの何れかのタイプのＯＦＤＭＡベース無線ネットワークから構成されてもよく、請求される主題の範囲は、これらに限定されるものでない。
【００９６】
一例となるブロードバンド無線アクセスシステム１８００では、アクセスサービスネットワーク（ＡＳＮ）１８１４，１８１８は、１以上の固定デバイス１８１６とインターネット１８１０との間又は１以上のモバイルデバイス１８２２とインターネット１８１０との間の無線通信を提供するため、それぞれ基地局（ＢＳ）１８１４，１８２０（又はｅＮＢ）と接続可能である。固定デバイス１８１６及びモバイルデバイス１８２２の一例はＵＥ１０５であり、固定デバイス１８１６はＵＥ１０５の静止バージョンから構成され、モバイルデバイス１８２２はＵＥ１０５のモバイルバージョンから構成される。ＡＳＮ１８１２は、ネットワークファンクションからブロードバンド無線アクセスシステム１８００上の１以上の物理エンティティへのマッピングを定義することが可能なプロファイルを実現してもよい。基地局１８１４，１８２０（又はｅＮＢ）は、デバイス１８００を参照して説明されるものなど、固定デバイス１８１６とモバイルデバイス１８２２とのＲＦ通信を提供する無線装置を有し、例えば、３ＧＰＰ  ＬＴＥ仕様又はＩＥＥＥ８０２．１６規格に準拠したＰＨＹ、ＭＡＣ、ＲＬＣ又はＰＤＣＰレイヤ装置などを有してもよい。基地局１８１４，１８２０（又はｅＮＢ）は更に、請求される主題の範囲はこれに限定されるものでないが、ＡＳＮ１８１２，１８１８を介しインターネット１８１０に接続するためのＩＰバックプレーンを有してもよい。
【００９７】
ブロードバンド無線アクセスシステム１８００は更に、限定することなく、ＡＡＡ（Ａｕｔｈｅｎｔｉｃａｔｉｏｎ，Ａｕｔｈｏｒｉｚａｔｉｏｎ  ａｎｄ  Ａｃｃｏｕｎｔｉｎｇ）ファンクション、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）ファンクション、ＤＮＳコントロールなどのプロキシ及び／又はリレイタイプファンクション、ＰＳＴＮ（Ｐｕｂｌｉｃ  Ｓｗｉｔｃｈｅｄ  Ｔｅｌｅｐｈｏｎｅ  Ｎｅｔｗｏｒｋ）ゲートウェイやＶｏＩＰ（Ｖｏｉｃｅ  ｏｖｅｒ  Ｉｎｔｅｒｎｅｔ  Ｐｒｏｔｏｃｏｌ）ゲートウェイなどのドメインゲートウェイ、及び／又はＩＰタイプサーバファンクションなどを含む１以上のネットワークファンクションを提供可能なビジティッドＣＳＮ（Ｃｏｎｎｅｃｔｉｖｉｔｙ  Ｓｅｒｖｉｃｅ  Ｎｅｔｗｏｒｋ）１８２４を有してもよい。しかしながら、これらは、ビジティッドＣＳＮ１８２４又はホームＣＳＮ１８２６により提供可能なタイプのファンクションの単なる具体例であり、請求される主題の範囲はこれらに限定されるものでない。ビジティッドＣＳＮ１８２４は、例えば、固定デバイス１８１６又はモバイルデバイス１８２２が各自のホームＣＳＮ１８２６からローミングしている場合、ブロードバンド無線アクセスシステム１８００が固定デバイス１８１６若しくはモバイルデバイス１８２２の通常のサービスプロバイダの一部であるが、ブロードバンド無線アクセスシステム１８００が固定デバイス１８１６若しくはモバイルデバイス１８２２のメイン又はホーム位置にない他の位置又は状態にある場合など、ビジティッドＣＳＮ１８２４が固定デバイス１８１６又はモバイルデバイス１８２２の通常のサービスプロバイダの一部でない場合、ビジティッドＣＳＮとして参照されてもよい。
【００９８】
固定デバイス１８１６は、基地局１８１４，１８２０、ＡＳＮ１８１２，１８１８及びホームＣＳＮ１８２６を介しインターネット１８１０へのホーム又はビジネスカスタマブロードバンドアクセスを提供するため自宅又は会社に若しくは近くなど、一方又は双方の基地局１８１４，１８２０の範囲内の何れかに配置されてもよい。固定デバイス１８１６は一般に静止位置に配置されるが、必要に応じて異なる位置に移動されてもよいことに留意すべきである。モバイルデバイス１８２２は、例えば、一方又は双方の基地局１８１４，１８２０の範囲内にある場合、１以上の位置で利用されてもよい。
【００９９】
１以上の実施例によると、オペレーションサポートシステム（ＯＳＳ）１８２８は、ブロードバンド無線アクセスシステム１８００のマネージメント機能を提供し、ブロードバンド無線アクセスシステム１８００の機能エンティティの間のインタフェースを提供するため、ブロードバンド無線アクセスシステム１８００の一部であってもよい。図１８のブロードバンド無線アクセスシステム１８００は、ブロードバンド無線アクセスシステム１８００の特定数のコンポーネントを示す単なる１つのタイプの無線ネットワークであり、請求される主題の範囲はこれらに限定されるものでない。
【０１００】
いくつかの具体例は、それらの派生語と共に“一例では”又は“具体例”という表現を用いて説明されてもよい。これらの用語は、当該具体例に関して説明される特定の特徴、構成又は特性が少なくとも１つの具体例に含まれることを意味する。明細書の各所における“一例では”というフレーズの出現は、必ずしも全てが同一の具体例を参照しているとは限らない。
【０１０１】
ある具体例は、それらの派生語と共に“結合”、“接続”又は“結合可能”という表現を用いて説明されてもよい。これらの用語は、必ずしも互いに同義的なものとして意図されているとは限らない。例えば、“接続”及び／又は“結合”という用語を用いた説明は、２以上の要素が互いに直接的な物理的又は電気的接触状態にあることを示すものであってもよい。しかしながら、“結合”という用語はまた、２以上の要素が互いに直接的な接触状態になく、互いの連動又は相互作用することを意味するものであってもよい。
【０１０２】
開示の概要は３７  Ｃ．Ｆ．Ｒ  Ｓｅｃｔｉｏｎ  １．７２（ｂ）に準拠するため提供され、読者が技術的開示の性質を迅速に確認することを可能にする概要が要求されていることが強調される。それは請求項の範囲又は意味を解釈又は限定するのに利用されないという理解が主張される。さらに、上記の詳細な説明では、本開示を整理するため各種特徴が単一の例において一緒にグループ化されることが理解できる。本開示の方法は、請求された具体例が各請求項に明示的に記載されるより多くの特徴を要求する意図を反映するものとして解釈されるべきでない。むしろ、以下の請求項が反映するように、本発明の主題は開示される単一の具体例の全ての特徴より少なくある。従って、以下の請求項は、各請求項がそれ自体別の具体例として成り立つ詳細な説明に含まれる。添付した請求項では、“有する”及び“そこで”という用語は、それぞれ“有する”及び“そこで”という用語の平易な英語の等価として用いられる。さらに、“第１”、“第２”、“第３”などの用語は単なるラベルとして用いられ、それらのオブジェクトに対する数値的な要求を課すことを意図していない。
【０１０３】
いくつかの具体例では、第１のコンピュータにより実現される方法は、ＵＥのサービングセルをサポートする基地局において、無線装置との通信に関する第１ＴＤＤコンフィギュレーションを確立するステップを有してもよい。ＴＤＤコンフィギュレーション情報は、その後、１以上の他のサービングセルの少なくとも１つが第１ＴＤＤコンフィギュレーションと異なるＵＥとの通信に関する第２ＴＤＤコンフィギュレーションを確立したことを示す１以上の他のサービングセルから受信されてもよい。これらの具体例について、ＵＥの受信回路を一時的に電力オン又はオフすることに関する１以上のタイマが、第１及び第２ＴＤＤコンフィギュレーションに基づき定義されてもよい。その後、１以上のタイマの定義を示す情報がＵＥに送信されてもよい。
【０１０４】
いくつかの具体例によると、第１のコンピュータにより実現される方法はまた、１以上のタイマがオンデュレーションタイマ、インアクティビティタイマ又は再送タイマを有することを含むものであってもよい。インアクティビティタイマの第１定義は第１ＴＤＤコンフィギュレーションに基づき、インアクティビティタイマの第２定義は第２ＴＤＤコンフィギュレーションに基づくものであってもよい。また、再送タイマの第１定義は第１ＴＤＤコンフィギュレーションに基づき、再送タイマの第２定義は第２ＴＤＤコンフィギュレーションに基づくものであってもよい。
【０１０５】
いくつかの具体例では、第１のコンピュータにより実現される方法はまた、オンデュレーションタイマが第１及び第２ＴＤＤコンフィギュレーションの双方について同一の定義を有することを含むものであってもよい。
【０１０６】
いくつかの具体例によると、第１のコンピュータにより実現される方法はまた、第１定義がＵＥにおいて受信されるスケジューリングデータに関するサービングセルからの第１ＴＤＤコンフィギュレーションのダウンリンクサブフレームにおけるデータをＵＥが受信することに基づく期間においてインアクティビティタイマがスタートすることを含むことを含むものであってもよい。第２定義は、ＵＥにおいて受信されるスケジューリングデータに関するサービングセルからの第２ＴＤＤコンフィギュレーションのダウンリンクサブフレームにおけるデータをＵＥが受信することに基づく期間においてインアクティビティタイマをスタートすることを含むものであってもよい。
【０１０７】
いくつかの具体例では、第１のコンピュータにより実現される方法はまた、第１周波数バンドを介しＵＥに通信接続するサービングセルに基づき確立された第１ＴＤＤコンフィギュレーションを含むものであってもよい。これらの具体例について、第２ＴＤＤコンフィギュレーションは、第２周波数バンドを介しＵＥに通信接続される１以上の他のサービングセルに基づき確立されてもよい。
【０１０８】
いくつかの具体例によると、第１のコンピュータにより実現される方法について、第１及び第２ＴＤＤコンフィギュレーションに基づき１以上のタイマを定義することは、第１ＴＤＤコンフィギュレーションに第１タイマセットを定義し、第２ＴＤＤコンフィギュレーションに基づき第２タイマセットを定義することを含むものであってもよい。これらの具体れに付いて、第１タイマセットと第２タイマセットとは、オンデュレーションタイマ、インアクティビティタイマ又は再送タイマを別々に含むものであってもよい。第１タイマセットに含まれるタイマの定義は、第２タイマセットに含まれるタイマの定義と異なるものであってもよい。
【０１０９】
いくつかの具体例では、第１のコンピュータにより実現される方法はまた、第１周波数バンドを介しＵＥと通信するサービングセルに共通の第１タイマセットと、第１周波数バンドと異なる第２周波数バンドを介しＵＥと通信するサービングセルに共通の第２タイマセットとを含むものであってもよい。
【０１１０】
いくつかの具体例では、第１のコンピュータにより実現される方法はまた、半複信モードで動作するよう構成されるＵＥに基づき１以上のタイマを定義することを含むものであってもよい。これらの具体例について、ダウンリンク／アップリンクサブフレームが第１ＴＤＤコンフィギュレーションと第２ＴＤＤコンフィギュレーションとの間で異なる場合、ダウンリンク処理が可能とされるようにＵＥは構成されてもよい。１以上のタイマは、ダウンリンクサブフレームが第１ＴＤＤコンフィギュレーションと第２ＴＤＤコンフィギュレーションとの間で一致することと、ダウンリンク／アップリンクサブフレームが所与のサブフレームについて第１ＴＤＤコンフィギュレーションと第２ＴＤＤコンフィギュレーションとの間で異なることとの双方に基づきスタートされるように定義されてもよい。
【０１１１】
いくつかの具体例によると、第１のコンピュータにより実現される方法はまた、半複信モードにより動作するよう構成されるＵＥに基づき１以上のタイマを定義することを含むものであってもよい。これらの具体例について、ダウンリンク／アップリンクサブフレームが第１ＴＤＤコンフィギュレーションと第２ＴＤＤコンフィギュレーションとの間で異なる場合、アップリンク処理が可能とされるようにＵＥは構成されてもよい。１以上のタイマは、所与のサブフレームについて第１ＴＤＤコンフィギュレーションと第２ＴＤＤコンフィギュレーションとの間でダウンリンクサブフレームが一致することに基づきスタートされるように定義されてもよい。
【０１１２】
いくつかの具体例では、第１のコンピュータにより実現される方法はまた、半複信モードにより動作するよう構成されるＵＥに基づき１以上のタイマを定義することを含むものであってもよい。これらの具体例について、ダウンリンク／アップリンクサブフレームが第１ＴＤＤコンフィギュレーションと第２ＴＤＤコンフィギュレーションとの間で異なる場合、アップリンク又はダウンリンク処理が動的に可能となるようにＵＥは構成されてもよい。１以上のタイマは、所与のサブフレームについて第１ＴＤＤコンフィギュレーションと第２ＴＤＤコンフィギュレーションとの間で一致するダウンリンクサブフレームに基づきスタートされるように定義されてもよい。
【０１１３】
いくつかの具体例によると、ダウンリンクサブフレームが第１ＴＤＤコンフィギュレーションと第２ＴＤＤコンフィギュレーションとの間で一致することと、ダウンリンク／アップリンクサブフレームが所与のサブフレームについて第１ＴＤＤコンフィギュレーションと第２ＴＤＤコンフィギュレーションとの間で異なるときとの双方に基づき１以上のタイマがスタートされるように定義される１以上のタイマを含むものであってもよい。
【０１１４】
いくつかの具体例では、第１のコンピュータにより実現される方法はまた、１以上のタイマがダウンリンクサブフレームが所与のサブフレームについて第１ＴＤＤコンフィギュレーションと第２ＴＤＤコンフィギュレーションとの間で同一であることに基づきスタートされるように定義されることを含むものであってもよい。
【０１１５】
いくつかの具体例によると、第１のコンピュータにより実現される方法はまた、基地局がＬＴＥ−Ａを有する１以上の３ＧＰＰ  ＬＴＥ規格に準拠した動作するｅＮＢとして構成されることを含む。これらの具体例について、ＵＥの受信回路を一時的に電力オフすることに関する１以上のタイマは、ｏｎＤｕｒａｔｉｏｎＴｉｍｅｒ、ｄｒｘ−ＲｅｔｒａｎｓｍｉｓｓｉｏｎＴｉｍｅｒ及びｄｒｘ−ＩｎａｃｔｉｖｉｔｙＴｉｍｅｒなどの間欠受信（ＤＲＸ）タイマを含むものであってもよい。ＤＲＸタイマは、ＤＲＸタイマの少なくとも一部がＵＥにより受信されるＰＤＣＣＨサブフレームに基づきＵＥにおいてカウントされるように定義されてもよい。
【０１１６】
いくつかの具体例では、第１のコンピュータにより実現される方法について、基地局によりサポートされるサービングセルは、ＵＥにサービスを提供するプライませるとして機能するよう構成される。これらの具体例について、ｏｎＤｕｒａｔｉｏｎＴｉｍｅｒは、プライマリセルのＰＤＣＣＨサブフレームに基づきカウントされるように定義されてもよい。
【０１１７】
いくつかの具体例によると、第１のコンピュータにより実現される方法はまた、スケジューリングするサービングセルからＵＥにおいてＰＤＣＣＨサブフレームを受信したことに応答して、ｄｒｘ−ＩｎａｃｔｉｖｉｔｙＴｉｍｅｒ又はｄｒｘ−ＲｅｔｒａｎｓｍｉｓｓｉｏｎＴｉｍｅｒがカウントされるように、ｄｒｘ−ＩｎａｃｔｉｖｉｔｙＴｉｍｅｒ又はｄｒｘ−ＲｅｔｒａｎｓｍｉｓｓｉｏｎＴｉｍｅｒが定義されることを含むものであってもよい。スケジューリングするサービングセルは、１以上の他のサービングセルからのものであるか、又はプライマリセルである。
【０１１８】
いくつかの具体例では、第１のコンピュータにより実現される方法について、第１及び第２ＴＤＤコンフィギュレーションに基づきＤＲＸタイマを定義することは、第１ＴＤＤコンフィギュレーションに基づき第１ＤＲＸタイマセットを定義することを含むものであってもよい。第１ＤＲＸタイマセットは、第１周波数バンドを介しＵＥと通信する第１タイミングアドバンストグループに関するサービングセルに共通のものであってもよい。第２ＤＲＸタイマセットは、第２周波数バンドを介しＵＥと通信する第２タイミングアドバンストグループに関するサービングセルに共通のものであってもよい。
【０１１９】
いくつかの具体例によると、少なくとも１つのマシーン可読媒体は、計算装置上で実行されることに応答して、上述されるような第１のコンピュータにより実現される方法を計算装置に実行させる複数の命令を有する。
【０１２０】
いくつかの具体例では、通信装置は、上述された第１のコンピュータにより実現される方法を実行するよう構成されてもよい。
【０１２１】
いくつかの具体例では、装置又はデバイスは、上述された第１のコンピュータにより実現される方法を実行する手段を有してもよい。
【０１２２】
いくつかの具体例では、第２のコンピュータにより実現される方法は、第１ＴＤＤコンフィギュレーションを用いて第１サービングセルからデータを受信するよう構成される受信回路に電力供給することに関する第１タイマセットを受信し、第２ＴＤＤコンフィギュレーションを用いて第２サービングセルからデータを受信するよう構成される受信回路に電力供給することに関する第２タイマセットを受信することを含むものであってもよい。これらの具体例について、第１サービングセルからデータを受信することに応答して、受信回路は、第１タイマセットに基づき選択的に電力オン又はオフされてもよい。また、第２サービングセルからデータを受信することに応答して、受信回路は、第２タイマセットに基づき選択的に電力オン又はオフされてもよい。
【０１２３】
いくつかの具体例によると、第２のコンピュータにより実現される方法はまた第１サービングセルが第１周波数バンドを介しＵＥに通信接続される第１ＴＤＤコンフィギュレーションを利用することを含むものであってもよい。第２サービングセルは、第２周波数バンドを介しＵＥに通信接続される第２ＴＤＤコンフィギュレーションを利用する。
【０１２４】
いくつかの具体例では、第２のコンピュータにより実現される方法はまた、第１及び第２タイマセットが、別々にオンデュレーションタイマ、インアクティビティタイマ及び再送タイマを含むことを含むものであってもよい。第１タイマセットに含まれるタイマの定義は、第２タイマセットに含まれるタイマの定義と異なるものであってもよい。
【０１２５】
いくつかの具体例によると、第２のコンピュータにより実現される方法はまた、第２のコンピュータにより実現される方法を実現するシステムを有してもよい。当該システムは、ＬＴＥ−Ａを含む１以上の３ＧＰＰ  ＬＴＥ規格に準拠して動作するよう構成されてもよい。これらの具体例について、第１及び第２タイマセットは、ｏｎＤｕｒａｔｉｏｎＴｉｍｅｒ、ｄｒｘ−ＩｎａｃｔｉｖｉｔｙＴｉｍｅｒ及びｄｒｘ−ＲｅｔｒａｎｓｍｉｓｓｉｏｎＴｉｍｅｒなどの間欠受信（ＤＲＸ）タイマを含むものであってもよい。ＤＲＸタイマは、第１又は第２サービングセルから受信されるＰＤＣＣＨサブフレームに基づきカウントされるように定義されてもよい。
【０１２６】
いくつかの具体例では、第２のコンピュータにより実現される方法について、第１タイマセットと第２タイマセットとの双方に含まれるｏｎＤｕｒａｔｉｏｎＴｉｍｅｒは、ＵＥのプライマリサービングセルとして機能するよう構成される第１及び第２サービングセルからのサービングセルのＰＤＣＣＨサブフレームに基づきカウントされるよう定義されてもよい。
【０１２７】
いくつかの具体例によると、第２のコンピュータにより実現される方法について、第１タイマセットと第２タイマセットとの双方に含まれるｄｒｘ−ＩｎａｃｔｉｖｉｔｙＴｉｍｅｒは、第１サービングセル又は第２サービングセルから受信されるＰＤＣＣＨサブフレームに基づきカウントされるように定義されてもよい。
【０１２８】
いくつかの具体例によると、少なくとも１つのマシーン可読媒体は、計算装置上で実行されることに応答して、上述される第２のコンピュータにより実現される方法を計算装置に実行させるための複数の命令を有する。
【０１２９】
いくつかの具体例では、通信装置は、上述された第２のコンピュータにより実現される方法を実行するよう構成されてもよい。
【０１３０】
いくつかの具体例では、装置又はデバイスは、上述された第２のコンピュータにより実現される方法を実行する手段を有してもよい。
【０１３１】
いくつかの具体例によると、一例となる装置は、ＵＥのための第１サービングセルをサポートするよう構成される基地局のためのプロセッサ回路を含むものであってもよい。一例となる装置はまた、第１サービングセルを介しＵＥに通信接続するための第１ＴＤＤコンフィギュレーションを確立するため、プロセッサ回路による実行のため構成されるコンフィギュレーションコンポーネントを含むものであってもよい。一例となる装置はまた、第１ＴＤＤコンフィギュレーションと異なるＵＥに通信接続するための第２ＴＤＤコンフィギュレーションを第２サービングセルが確立したことを示す第２サービングセルのＴＤＤコンフィギュレーション情報を受信するため、プロセッサ回路による実行のため構成される受信回路を含むものであってもよい。一例となる装置はまた、第１及び第２ＴＤＤコンフィギュレーションに基づきＵＥの受信回路を一時的に電力オン又はオフすることに関する１以上のタイマを定義するため、プロセッサ回路による実行のため構成されるタイマコンポーネントを有してもよい。
【０１３２】
いくつかの具体例によると、一例となる装置はまた、ＵＥと情報を通信するためプロセッサ回路に通信接続される無線インタフェースを有してもよい。当該情報は、１以上のタイマの定義を示すものであってもよい。
【０１３３】
一例となる装置のいくつかの具体例において、第１及び第２ＴＤＤコンフィギュレーションに基づき１以上のタイマを定義することは、別々のタイマセットを定義するよう構成されるタイマコンポーネントを含むものであってもよい。別々のタイマセットの定義は、第１ＴＤＤコンフィギュレーションに基づき定義された第１タイマセットと、第２ＴＤＤコンフィギュレーションに基づき定義された第２タイマセットとを含むものであってもよい。
【０１３４】
一例となる装置のいくつかの具体例によると、第１タイマセットと第２タイマセットとは、別々にオンデュレーションタイマ、インアクティビティタイマ又は再送タイマを含むものであってもよい。第１タイマセットのタイマコンポーネントにより定義されるタイマの定義は、第２タイマセットのタイマコンポーネントにより定義されるタイマの定義と異なるものであってもよい。
【０１３５】
一例となる装置のいくつかの具体例では、基地局は、ＬＴＥ−Ａを有する１以上の３ＧＰＰ  ＬＴＥ規格に準拠してｅＮＢとして動作するよう構成されてもよい。これらの具体例について、ＵＥの受信回路を一時的に電力オフすることに関する１以上のタイマは、間欠受信（ＤＲＸ）タイマを含むものであってもよい。ＤＲＸタイマは、ｏｎＤｕｒａｔｉｏｎＴｉｍｅｒ、ｄｒｘ−ＲｅｔｒａｎｓｍｉｓｓｉｏｎＴｉｍｅｒ及びｄｒｘ−ＩｎａｃｔｉｖｉｔｙＴｉｍｅｒを含むものであってもよい。ＤＲＸタイマは、ＵＥにより受信されるＰＤＣＣＨサブフレームに基づきＵＥにおいてカウントされるように定義されてもよい。
【０１３６】
一例となる装置のいくつかの具体例によると、タイマコンポーネントは、第１サービングセルのＰＤＣＣＨサブフレームに基づきカウントされるＤＲＸタイマを定義するよう構成されてもよい。第１サービングセルは、ＵＥのプライマリサービングセルとして機能するよう構成されてもよい。
【０１３７】
一例となる装置のいくつかの具体例では、タイマコンポーネントは、ＤＲＸタイマの少なくとも一部が第１又は第２サービングセルからのＰＤＣＣＨサブフレームの受信に応答してカウントされるようにＤＲＸタイマを定義するよう構成されてもよい。
【０１３８】
主題は構造的特徴及び／又は方法の処理に固有の言語により説明されたが、添付した請求項に規定される主題は、上述されるような特定の特徴又は処理に必ずしも限定されるものでないことが理解されるべきである。むしろ、上述された特定の特徴及び処理は、請求項を実現する一例となる形態として開示される。
【図１】
0005886449.tif 000002
【図２】
0005886449.tif 000003
【図３】
0005886449.tif 000004
【図４】
0005886449.tif 000005
【図５】
0005886449.tif 000006
【図６】
0005886449.tif 000007
【図７】
0005886449.tif 000008
【図８】
0005886449.tif 000009
【図９】
0005886449.tif 000010
【図１０】
0005886449.tif 000011
【図１１】
0005886449.tif 000012
【図１２】
0005886449.tif 000013
【図１３】
0005886449.tif 000014
【図１４】
0005886449.tif 000015
【図１５】
0005886449.tif 000016
【図１６】
0005886449.tif 000017
【図１７】
0005886449.tif 000018
【図１８】
0005886449.tif 000019